(57)【要約】      （修正有）【課題】羽根板を伸張して閉じた位置と、支持構造から突き出し、羽根板と羽根板の間に視界と光が通過する空間を形成する引き込んだ開位置との間で動かすことができるシェードの提供。【解決手段】開口部は、カバーが開いた状態で、視界と光が通過するようになっている。支持構造、羽根板、及び操作要素４６６は、カバーの引込位置では、頭部レール内のローラー４７２の回りに巻き付けられ、伸張位置では、巻き解かれるようになっている。抑制システムがカバー内に組み込まれており、支持構造、羽根板、及び操作要素４６６が伸張位置に達すると、羽根板を自動的に開くことができるようになっている。【選択図】図１１２
2011252378.tif 000002
【特許請求の範囲】
【請求項１】
建築物開口部用のカバーにおいて、
回転可能に取り付けられているローラーを有する頭部レールと、
上側及び下側縁部を備えた支持構造を含んでいる可撓性のパネルであって、前記上側縁部は前記ローラーに固定されており、少なくとも１つの水平方向に伸張している羽根板は、上側縁部と下側縁部を有しており、前記羽根板の前記上側縁部と下側縁部の内の一方は前記支持構造に固定され、他方は垂直方向に自由に動くことができるようになっている、パネルと、
少なくとも１つの可撓性の操作要素であって、１つの場所で前記ローラーに固定され、他の場所で前記少なくとも１つの羽根板の前記他方の縁部に固定されているので、前記他方の縁部は、前記操作要素によって上げ下げできるようになっている、操作要素と、
前記支持構造の前記下側縁部に固定されている底部レールと、
前記ローラーの第１方向の回転運動に際して前記支持構造の下向きの運動を防ぐための抑制システムであって、前記抑制システムは、前記頭部レールのキャッチと、前記支持構造に固定されている部品のキャッチリップとを含んでおり、前記部品は、前記支持構造によって前記ローラーの周りに巻き付けられ、前記支持構造によって、前記ローラーの前記第１方向の運動に際して前記ローラーから巻き解かれるようになっており、前記キャッチリップは、前記ローラーが前記第１方向に所定の運動を行うと、前記キャッチと係合して、前記ローラーが前記第１方向に動き続けても、前記支持構造上の前記底部レールが更に下向きに動くのを防ぐ、抑制システムと、を組み合わせて備えているカバー。
【請求項２】
前記部品は、前記支持構造の前記上側縁部から下向きに離れた場所で、前記支持構造に固定されている、請求項１に記載のカバー。
【請求項３】
前記部品は、上側及び下側縁部を有するプレート状をしており、前記支持構造は、前記部品に、その下側縁部に近接して接続されている、請求項１に記載のカバー。
【請求項４】
前記部品は、前記支持構造の前記上側縁部から下向きに離れた場所で、前記支持構造に固定されている、請求項３に記載のカバー。
【請求項５】
前記キャッチリップは、前記プレート状の部品の前記支持構造への前記接続部の上方で、前記プレート状の部品上に配置されている、請求項３に記載のカバー。
【請求項６】
前記プレート状の部品は、横断面が弓形である、請求項３に記載のカバー。
【請求項７】
前記ローラーは、円筒形の外面を有する実質的に円筒形をしており、前記プレート状の部品の前記弓形の横断面は、前記ローラーの前記外面と同じ曲率を有している、請求項６に記載のカバー。
【請求項８】
前記キャッチリップは、前記部品に前記キャッチを挿入することのできる下向きに開口する溝を形成している、請求項１に記載のカバー。
【発明の詳細な説明】
【技術分野】
【０００１】
本発明は、概括的には、建築物開口部用のカバーに用いられるパネルと、その様なパネルを使用している建築物開口部に関する。パネルは支持構造を含んでおり、支持構造は、その面上に複数の水平方向に伸張し、垂直方向に間隔を空けて配置されている材料の条片を有していて、条片の上縁部は、支持構造の高さに沿った所定の場所で支持構造に固定されており、条片の底縁部は、支持構造に滑動可能に関係付けられている。底縁部を、固定されている上縁部に向かって、選択的に上向きに引っ張ると、材料の条片の間に隙間ができ、そこを視界と光が通過する。
【背景技術】
【０００２】
本出願は、２００６年２月７日出願の米国出願第１１／３４８，９３９号に対する優先権を請求するものであり、同出願は、２００５年４月８日出願の米国特許出願第１１／１０２，５００号の一部継続出願であり、同出願は、２００５年３月１１日出願の米国特許出願第１１／０７７，９５３号の一部継続出願であり、同出願は、２００４年８月２０日出願の国際特許出願ＰＣＴ／ＵＳ２００４／０２７１９７号の一部継続出願であり、同ＰＣＴ出願は、２００３年８月２０日出願の米国仮特許出願第６０／４９７，０２０号「折り畳み式羽根板を備えた伸縮自在のシェード」に対する優先権を請求するものであり、それら全てをここに参考文献として援用する。
【０００３】
パネルは、建築物開口部用のカバーに用いられ、カバーの上部にはローラー設けられていて、建築物開口部を横断する伸張位置からパネルを引っ込めるときに、ローラーの回りにパネルを巻き付けることができるようになっている。カバーは、更に、各材料条片の下側縁部が上側縁部に隣接して配置される開位置と、各材料条片の上及び下側の縁部が最大限に離れている閉位置との間を動かすことができる。
【０００４】
窓、扉、アーチ路などの様な建築物開口部用のカバーは、長年に亘って無数の形態を取ってきている。その様なカバーの初期の形態は、主に、建築開口部を横断して掛けられた布で構成されており、多くの例において、布は、開口部に対して伸張位置と引込位置の間で可動式ではなかった。
【０００５】
建築物開口部用の引込式カバーは、多くの異なる形態に進化しており、その中には、一片の可撓性の材料が、ローラーに巻き付けられた状態から伸張位置まで建築物開口部を横断して引き伸ばされ、そしてその逆に操作されるローラーシェードが含まれている。
【０００６】
建築物開口部用の引込式カバーのもう１つの人気のある形態に、ベネチアンブラインドがあり、ベネチアンブラインドでは、複数の水平方向に配置された小板が紐梯子で吊り下げられていて、小板を、その水平長手方向軸回りに開位置と閉位置の間で回転させ、或いは、一番下の小板を引き上げて、上方に配置されている各小板を次々に重ねてゆき、小板を積み重ねたものが建築物開口部の最上部に隣接して配置されるようになるまで引き上げることによって、ブラインド全体を引っ込ませることができるようになっている。
【０００７】
垂直方向ブラインドも開発されており、小板又は羽根板が垂直方向に配置され、カバーを長手方向垂直軸の回りに回転させて、開位置と閉位置の間で動かすことができるようになっている点を除き、ベネチアンブラインドと同様である。更に、小板又は羽根板は、水平方向に動かして、カバーを引っ込めるときには建築物開口部の片側又は両側の縁部に隣接して積み重ね、或いは、開口部を横断して小板又は羽根板が均一に間隔を空けて配置されるようにすることもできる。
【０００８】
近年は、セル式のシェードが人気を集めており、多くの異なる変形が作られている。或る人気のあるセル式シェードでは、水平方向に配置された折り畳み式の材料のチューブが、接続され、垂直方向に積み重ねられて、その様なチューブのパネルを形成している。パネルは、一杯に伸張させると建築物開口部を覆うが、パネルは、一番下のセルを引き上げて、各セルをその上に折り畳み、比較的薄いセルを積み重ねたものが開口部の最上部に隣接して集積されるまで引き上げることによって引っ込ませることができるようになっている。
【０００９】
もう１つの人気のあるセル式製品は、一対の間隔を空けて垂直方向に伸張する薄布の様な半透明材料のシートであって、その間に複数の水平方向に配置された羽根板が伸張している、一対のシートを使用している。羽根板は、剛性があっても可撓性でもよく、垂直方向の材料のシートが互いに反対の垂直方向に動かされると、長手方向軸回りに回転するようになっている。シートと羽根板のパネル全体は、ローラーの回りに簡単に巻き付けて、カバーを引き込むことができるようになっている。
【００１０】
垂直方向のブラインドの修正形も、最近は開発されており、複数の垂直方向に伸張する羽根板が、１つの垂直方向の縁部に沿って布材のシート、例えば薄布で相互に接続されているので、カバーは、ドレープ式の製品に類似しているが、薄布の後に配置されている羽根板は、長手方向垂直軸回りに回転させることができ、薄布を通過する視界と光を選択的に遮断することができるようになっている。勿論、羽根板と、取り付けられている布は、カバーを、建築物開口部を横断するその伸張位置から引っ込ませるときには、建築物開口部の片側又は両側に積み重ねることもできる。
【００１１】
建築物開口部用のカバーの設計は、無数の異なる形態を包含していると考えられ、これらの形態は、実用性要因と美的要因の両方によって後押しされている。幾度と無く、これらの要因の内の一方が他方に指示を出すことになるが、構成要素の様々な組み合わせが、実用性の要求と美的要求の両方を満たす、消費者の住居又は商業空間内の建築物開口部用のカバーに対する彼等の飽くなき乾きを満足させるために、常に開発されてきている。
【００１２】
本発明を開発した目的は、その様な欲求を満足させることである。
【特許文献１】米国特許出願第１１／３４８，９３９号
【特許文献２】米国特許出願第１１／１０２，５００号
【特許文献３】米国特許出願第１１／０７７，９５３号
【特許文献４】ＰＣＴ特許出願ＰＣＴ／ＵＳ２００４／０２７１９７号
【特許文献５】米国仮特許出願第６０／４９７，０２０号
【特許文献６】米国特許第６，２８９，９６４号
【発明の開示】
【課題を解決するための手段】
【００１３】
本発明は、建築物開口部用のカバーと、それに用いられるパネルに関係しており、パネルは支持構造を含んでいて、その上に、複数の隣接する水平方向に伸張し垂直方向に間隔を空けて配置されている羽根板又は材料の条片が取り付けられている。間隔を空けて配置されている羽根板は、平らに伸張して閉じた位置と、羽根板が支持構造から突き出し、羽根板と羽根板の間に視界と光が通過する空間を形成する引き込んだ開位置と、の間で動かすことができる。
【００１４】
支持構造は、例えば薄布の様な可撓性材料のシートを含む数多くの形を取ることができる。それは、間隔を空けた平行な関係に且つ共通の面内に配置された、複数の垂直方向に伸張する可撓性の要素であってもよい。本発明の好適な形態では、羽根板は、水平方向に配置されているが、当業者であれば、羽根板が垂直方向に伸張するカバーにおいて本発明の教示を利用することもできるであろう。
【００１５】
羽根板は、多くの異なる形を取ることができ、織布又は不織布、ビニール材料の様な様々な材料で作ることができる。羽根板は、必要であれば、羽根板を開位置と閉位置の間で動かすことができる折れ線を有する可撓性、半剛性、又は剛性を有する材料であってもよい。羽根板は、通常、垂直方向の支持構造を横切って水平方向に伸張する、上側及び下側の縁部を有する材料の条片である。各条片の上側縁部は、次の隣接する羽根板に対して垂直方向に間隔を空けて配置された場所で支持構造に固定されているので、条片の残りの部分は、上側縁部から垂下して、全体として、支持構造に支持されている複数の材料の条片を含む材料のパネルを形成している。各条片の下側縁部は、支持構造に滑動可能に接続されているので、条片の上側縁部に向かって、及び上縁部から遠ざかる方向に垂直に動かすことができる。下側縁部を上側縁部に向かって動かすと、条片が支持構造から拡張又は膨らみ、パネル又はカバーが開いた状態になって、材料の条片又は羽根板の間を視界及び光が通過できるようになる。重力などによって材料の条片又は羽根板の下側縁部が、その上縁部に対して最大限間隔を空けた位置まで下げられると、材料の条片は、支持構造と実質的に共通の面で平坦になり、望ましくは材料の条片が僅かに重なって、パネル又はカバーを通過する視界と光を遮断する。この閉位置では、パネル又はカバーをカバーの頭部レール内のローラーの回りに巻き付けて、カバーを伸張位置と引込位置の間で容易に動かせるようになる。
【００１６】
先に述べた様に、材料の条片は数多くの形を取ることができ、材料の条片の二重の層として、その間に閉じたセルが形成されるようにしてもよい。別体の材料の条片を支持構造の一方又は両方の側に配置して、支持構造が、セルの一方の側縁部に沿って、又はセルの中心を通って伸張するようにしてもよい。
【００１７】
先に述べた様に、支持構造は、各羽根板の上側縁部を単数又は複数のシート材の高さに沿った所定の場所で支持する、１つ又は複数のシート材の形であってもよい。代わりに、複数の可撓性で垂直方向に伸張する細長いリフト要素を１つ又は複数のシート材に置き換えてもよく、その場合、各羽根板の上側縁部は、可撓性のリフト要素に、その長さに沿った対応する位置で固定されることになる。何れにしても、シート材又はリフト要素に加えて、複数の可撓性の操作要素も使用され、それらは各羽根板の下側縁部に固定的に接続されているが、各羽根板の上側縁部に対して滑動するので、羽根板の下側縁部は、上昇又は下降して、取り付けられている羽根板とパネルを開位置と閉位置との間で動かすことができる。
【００１８】
本発明のこの他の態様、特徴及び詳細については、以下の好適な実施形態に関する詳細な説明を図面と関連付けて参照し、且つ特許請求の範囲を読めば、完全に理解頂けるであろう。
【発明を実施するための最良の形態】
【００１９】
本発明による建築物開口部用のパネルとカバーの第１の実施形態１００を、図１−１６に示している。カバー用のパネル１０２は、支持構造１０４、支持構造に接続されている複数の羽根板１０６、及び、羽根板を開位置と閉位置の間で動かすための操作要素１０８を含んでいることが分かる。第１の開示している実施形態の支持構造は、薄布の可撓性シートの形態をしているが、様々な構造及び透明度の別の材料の単数又は複数の可撓性のシートを使用してもよい。シートは、上縁部１１０及び底縁部１１２と、左側縁部１１４及び右側縁部１１６を有する長方形であり、重さのある底部レール１１７が底縁部１１２に固定されている。恐らく図５−８で最も良く分かる様に、支持シート１０４は、その上縁部１１０に沿って、カバー用の頭部レール１２０内に配置されている略円筒形のローラー１１８から吊り下げられており（図４−６）、ローラーは、従来方式で水平方向中心軸回りに選択的に反対方向に回転運動できるように取り付けられている。ローラー１１８、頭部レール１２０、及びパネル１０２は、本発明のカバー１２２を備えている。
【００２０】
ローラー１１８には、円周方向に間隔を空けて配置されている同一の第１の溝１２４と第２の溝１２６が設けられており、この溝は、ローラーの外周を通して開口しており、第１の溝は、支持シート１０４の上縁部１１０を支持している。支持シートの上縁部は折り返されていて、折り返しの中にロッドを通して、溝の中に長手方向に挿入できるようになっており、ロッドは、溝がローラーの外周を貫いて開口しているところに形成されている一対のリップによって保持されるようになっている。リップ同士は、ロッドの直径より小さな距離だけ離れて配置されているので、ロッドと支持シートの折り返されている上縁部１１０は、溝１２４の中に閉じ込められる。
【００２１】
複数の細長い羽根板又はシート材１０６は、支持シート１０４の前面から、垂直方向に間隔を空けた位置で、水平方向に吊り下げられている。各羽根板は、長方形をしており、羽根板材の実質的に長手方向中心線に沿って折れ線１２８を有する半剛性の材料で作られている。各羽根板は、折れ線と平行な上縁部１３０と底縁部１３２を有しており、上縁部は、以後に述べる方式で支持シートに固定されている、上縁部に沿って形成され内向き下向きに折り返された長方形のタブ１３４を有している。各羽根板の底縁部１３２は、内向き上向きに折り返された長方形のタブ１３６を有しており、支持シートに滑動可能に関係付けられており、これについては以下で更に明らかにする。タブ１３４と１３６の間の各羽根板の露出面又は前面は、カバーが図１、５、６、及び９−１３の閉位置にあるときに、各羽根板が隣接する下にある羽根板に重なるような幅を有している。閉位置では、各羽根板は、実質的に平坦で、支持シート１０４と平行であるように見える。
【００２２】
パネル１０２とカバー１２２は、更に、複数の可撓性で垂直方向に伸張し、パネルの幅に亘って水平方向に間隔を空けて配置されている操作要素１０８を含んでおり、操作要素の上端部は、ローラー１１８の第２の溝１２６の中に固定されている。この取付は、各可撓性操作要素の上側端部を、第２の溝に挿入されているロッドに結ぶことによって行われる。操作要素は、ローラー１１８の長さに沿って中心に配置され、ローラーの長さに沿って均一に分布されているのが望ましい。操作要素がコードである場合は、例えば、１−１０のコード、特に２−４のコードをローラーの長さ３インチ毎に用いるのが望ましい。しかしながら、細い又は弱いコードを使用する場合は、インチ当たりもっと多くのコードが望ましく、太い又は強いコードを使用する場合は、インチ当たりのコードがもっと少なくてもよい。
【００２３】
可撓性の操作要素それぞれは、パネルの全高に亘り垂直方向に吊り下げられており、その長さに沿って間隔を空けた位置で各羽根板の底縁部１３２に固定されているので、操作要素が引き上げられると、各羽根板の下側縁部が、同時に上又は上側縁部１３０に向けて引き上げられ、羽根板の間に隙間又は開放空間１３８（図３）が形成され、そこを視界と光が通れるようになる。理解頂けるように、各羽根板は、半剛性の材料で作られ、長手方向中心に沿って折り目又は折れ線を有しているので、底縁部１３２を上縁部１３０に向けて動かすと、羽根板は、例えば図２と図３に示す様に前方に折り畳まれ又は拡張し、上側１４０と下側１４２の長方形の軸回転可能に接続された羽根板の区画を形成する。羽根板は、断面が、図１の閉位置での平坦な状態から、図２と図３の開位置での三角形になる。可撓性の操作要素１０８は、単繊維として示されているが、他の様々な形態を取ることもできる。他の形態の例には、限定するわけではないが、布又は他の材料の条片、合成又は天然ヤーンのコード、具体的には、ポリエステルヤーン、ＤＳＭのDyneemaＲＴＭヤーンの様なポリエチレンヤーン、デュポン社のケプラー.ＲＴＭ、NomexのＲＴＭ、及びテイジンのTwaronＲＴＭのヤーンの様なアラミドヤーン、Honeywell Performance Fiber’s Spectra.ＲＴＭのヤーンの様なナイロンヤーン、のコードが含まれるが、特にポリエステルのヤーンが望ましい。操作要素は、透明且つ高強度で、直射日光の当たる窓で生じるような高温でも、非伸縮性であるのが望ましい。更に、コードは、単繊維だけでなく、多繊維のヤーンでもよいが、とりわけ単繊維のヤーンが望ましい。更に、コードは、直径が０．０１から０．０２インチであるのが望ましく、特に直径が０．３０から０．１２インチであるのが望ましい。羽根板１０６自体も、限定するわけではないが、織布又は不織布、ビニール、又は、他のその様な材料を含むどの様な適した材料で作ってもよい。
【００２４】
各羽根板の上縁部１３０は、図１４−１６で最も良く分かる方式で、支持シート１０４に接続されている。取付条片１４４は、タブ１３４を、各羽根板の上縁部に沿って支持シートに接続するのに用いられ、取付条片は、パネル１０２又はカバー１２２の全幅に伸張しており、タブ１３４の高さと実質的に等しい高さを有している。取付条片は、取付条片１４４の全寸法に亘る核又は基材１４６を有しており、その前面と後面に両面接着剤の条片を有している。基材１４６の前面には、両面接着剤の連続条片１４８があり、この両面接着剤の条片は、基材にその全長に沿って、そして関係する羽根板の上部にあるタブ１３４の後面にその全長に沿って接着されている。しかしながら、基材１４６の後面には、複数の長手方向に整列している両面接着剤条片１５０があり、その条片は、基材の後面に或る間隔で固定され、その間に、接着剤のない垂直方向に伸張する隙間又は空間１５２を形成している。基材の後面の接着剤条片は、操作要素１０８が、羽根板の上縁部と支持シートの間の中断した接続線を、そこに出来ている隙間又は空間１５２を貫通して伸張することによって滑動的に通過できるように、支持シート１０４の前面に固定されている。
【００２５】
基材１４６の後面には、複数の両面接着剤条片１５０を使用するという選択肢があり、一つの例は、一方の面に垂直方向に伸張する隙間又は空間１５２を形成する隙間が形成されている連続する両面接着剤条片を使用することである。更に、接着テープではなく接着剤の線を利用し、接着剤の線を断続的に塗布して、接着剤の線の間に、垂直に伸張する隙間又は空間１５２が形成されるようにしてもよい。基材１４６の後面を支持シート１０４に相互接続するための更に別の代替案として、両面接着剤の複数の条片又は先に述べた他の代替案の代わりに、断続的な超音波溶接を用いてもよい。超音波溶接を用いる場合は、溶接が、以後説明するようなやり方で長期間に亘って繰り返し作動することのない点まで、材料に悪影響を及ぼすことのないようにすることが重要である。各羽根板の下側縁部１３２は、パネル１０２の全幅に亘って伸張する核又は基材１５６と、羽根板の下側縁部の対象のタブ１３６の高さより僅かに低い高さと、を有している取付条片１５４によって、各操作要素１０８に接続されている。基材１５６は、その前面に両面接着剤の連続条片１５８を有していて、羽根板の底縁部のタブ１３６に固定されており、両者の間に操作要素１０８を接着捕捉している。この様にして、理解頂けるように、操作要素は、間隔を空けた位置で、タブ１３６に各羽根板の下側縁部に沿って固定されているが、各羽根板の上縁部１３０の、支持シート１０４への取付の中断線を通って、滑動可能に通過する。羽根板を支持シート及び操作要素へ取り付けるためのこのシステムは、恐らく、図１２、１３、１５、及び１６を見れば最も良く分かる。
【００２６】
先に述べた様に、操作要素の数は随意であるが、十分な数の操作要素が用いられている場合、つまり、インチ当たりのコード数が多い場合は、１つ置きのコードを、各羽根板の底部とローラーの第２の溝にだけ取り付けることもできる。残りのコードは、各羽根板の上部とローラーの第１の溝１２４にだけ取り付けることができるので、支持シートは必要なくなり、各羽根板の上部と第１の溝１２４の間を伸張する要素に置き換えることもできる。
【００２７】
恐らく図１０と図１１を参照すれば良く理解頂ける様に、各羽根板１０６の上部のタブ１３４は、各羽根板の下側縁部のタブ１３６より僅かに低い高さを有しており、各羽根板の下側縁部のタブ１３６は、パネルの閉位置では、直ぐ下にある羽根板の上縁部に重なっている。この様に、パネル１０２が図１と図９−１１の閉位置にあるときは、パネルを通る視界と光は、完全に遮断される。
【００２８】
パネル１０２とカバー１２２の作動は、恐らく図４−８を見れば良く分かる。図４では、パネルは、一杯に引き込まれ、ローラー１１８の回りに完全に巻き付けられており、パネルの下側縁部は、ローラーの後側に沿って配置されている。ローラーが半時計回りに回されるにつれ、図４−８に示すように、パネルは、その閉位置から、各羽根板１０６が実質的に平坦で、次の隣接する下側の羽根板に重なった状態で、重力によって落下する。パネルは、カバーが、図６のほぼ一杯に伸張して、支持シート１０４のローラーへの取付溝１２４がローラーの頂部にあり、操作要素１０８の取付溝１２６がローラーの後方にある位置に達するまでは、この平坦な閉位置のままである。ローラーを更に図７の位置まで反時計回りに回転させると、操作要素の固定されている第２の溝１２６が前方に動くことによって、図示のように操作要素が支持シートに対して上向きに引っ張られ、操作要素が支持シートに対して引き上げられるので、操作要素は、各羽根板の下側縁部１３２を同時に引き上げ、その結果、羽根板は外向きに折り畳まれ又は座屈して、各羽根板の下側縁部は次の隣接する下側の羽根板の上側縁部１３４から離れる。ローラーを、反時計回りの回転の限界である図８の位置まで引き続き反時計回りに回転させると、第２の溝１２６がローラーの前方近くに来て、各羽根板の底縁部を一杯に引き上げた状態になるので、パネルとカバーは、一杯に開いた位置になり、羽根板同士の間の隙間１３８は最大になる。一杯に開いた位置では、羽根板１０６は、断面が二等辺三角形の様な形になる。
【００２９】
ローラー１１８を逆方向、即ち図８の位置から時計回りに回転させると、第２の溝１２６が先ず図７の位置へ動き、各羽根板の下側縁部１３２が、重力によって図６の位置へ落下するようになり、その状態では、羽根板は一杯に閉じて支持シート１０４と実質的に同一平面になる。連続して時計回に回転させると、閉位置にあるパネルは、再び図４の引込位置になるまでローラーの回りに巻き付く。
【００３０】
以上の説明で理解頂けるように、カバー１２２は、図４に示す様に一杯に引き込むこともできるし、羽根板を一杯に閉じた位置にして、所望の程度、パネルが図６に示す様に一杯に伸張した状態まで、但し羽根板１０６が閉じている状態で、下げることもできる。ローラー１１８を更に回転させると、羽根板自体が開き、羽根板同士の間に、視界と光がパネルを通過できる隙間１３８が形成される。理解頂ける様に、パネル１０２が一杯に伸張しているときにだけ羽根板を開くことができ、羽根板が閉じた状態では、建築物開口部を横切ってパネルを所望の程度まで伸張させることができる。
【００３１】
本発明の第２の実施形態１６０を図１７−１９に示しており、ここでもカバーはローラー１１８を含んでおり、ローラーには、支持シート１０４並びに操作要素１０８が第１の実施形態と同じ方式で接続されている。しかしながら、この実施形態では、或る程度の半剛性材料で作られている羽根板又は材料の条片１６４は、折れ線又は折り目を有していないので、羽根板が、羽根板が垂れ下がってはいるが支持シートと近接している図１７の閉位置から、開位置に向かって動かされるとき、羽根板は、実質的に対称的な様式で、図１８の部分的に開いた位置を経由して、図１９の一杯に開いた位置へと前方に拡張する。羽根板が形成されている半剛性材料の性質によって、羽根板は、支持シートから離れる方向に、実質的に水平方向に突出又は伸張することが分かるであろう。
【００３２】
本発明の第３の実施形態１６６を、図２０−２２に示しており、図示の様に、ローラー１１８には、ここでも２つの取付溝１２４と１２６が設けられており、支持シート１０４は一方の溝１２４に取り付けられ、操作要素１０８は第２の溝１２６に取り付けられている。羽根板又は材料の条片１６８は、第１及び第２の実施形態と同じ方式で、ここでも支持シートと操作要素に接続されているが、羽根板の材料は剛性を有していない。むしろ、羽根板の材料は、幾らか可撓性のある材料なので、羽根板の開閉に関係なく、下向きに垂れ下がっている。図２０に示す閉位置では、各羽根板の最も下の区域は、次の隣接する下側の羽根板の最も上の区域に重なっているが、羽根板が部分的に開かれると、各羽根板の下側縁部は、幾らか引き上げられるので、羽根板の間に隙間１３８が確立される。図２２に示す様に各羽根板の下側縁部が一杯に引き上げられると、羽根板の間の隙間は、図２１の部分的に開いている位置よりは大きくなるが、空間は、例えば、上記第１及び第２の実施形態ほど大きくはない。
【００３３】
図２３−２４に示しているカバーの第４の実施形態１７０では、ローラー１１８には、円周方向に間隔を空けて配置された取付溝１２４と１２６が設けられており、支持シート１０４は一方の溝１２４に、操作要素１０８は他方の溝１２６に取り付けられている。この実施形態では、羽根板１７２は、先の実施形態で述べた様に、やはり支持シートと操作要素に接続されており、羽根板は、半剛性の材料で作られ、水平に長手方向に伸張している折れ線又は折り目１７４が、羽根板の底縁部１７８より上縁部１７６に近いことを除いて、図１−１６に示した上記第１の実施形態の羽根板と同様の形状に作られている。従って、羽根板は、ここでも、上部１８０と下部１８２の長方形区画に分けられるが、上部区画は下部区画より僅かに小さい。羽根板は、図２３の閉位置から、図２４の部分的に開いた位置を経て図２５の一杯に開いた位置へ動かされるとき、断面が、上記第１の実施形態では二等辺三角形が形成されるのに対して、実質的に直角三角形を形成する。
【００３４】
本発明のカバーの第５の実施形態１８４を図２６−２８に示している。この実施形態では、やはりローラー１１８には、支持シート１０４と操作要素１０８を取り付けるための第１の溝１２４と第２の溝１２６が設けられており、羽根板１８６は、先の実施形態で説明した様に、操作要素に取り付けられている。しかしながら、この実施形態では、各羽根板１８６は、外側の材料条片１８８と内側の材料条片１９０を有しており、外側の材料条片は、図２３−２５の上記第４の実施形態の様な半剛性の材料であり、内側の材料条片は、図２０−２２の上記第３の実施形態の様な可撓性の材料である。内側の可撓性の材料条片１９０は、上及び底縁部に沿って外側の半剛性の材料条片１８８に固定されており、組み合わされた条片は、先に述べた実施形態と同様に支持シート１０４に接続されているので、やはり、操作要素１０８は、各羽根板の上縁部の支持シートへの取付線を通過して滑動するが、各羽根板の底縁部に沿って操作要素に固定されている。従って、カバーを、羽根板が支持シートとの実質的に同一平面関係にあって平坦である図２６の閉位置から動かすと、羽根板は、図２７の部分的に開いている位置を経て、図２８の一杯に開いている位置へ動き、一杯に開いている位置では、可撓性の材料条片は、羽根板に用いられる外側の半剛性の材料条片の中に閉じ込められ、材料条片の間に、閉じたセルを確立する。セルは、勿論、支持シートの互いに反対側の側辺１１４と１１６に隣接する両端で開いている。この実施形態は、カバーの機能的特徴と美観の多様性を考慮しており、例えば、内側の可撓性の材料条片は不透明な材料であり、外側の半剛性の材料は半透明又は透明な材料であって、図２８の一杯に開いた位置では羽根板の間に視界が開けるが、図２６の閉位置では不透明な内側材料によって完全に遮断される。他の変更例も容易に明白であり、例えば、内側層と外側層は、異なる効果を作り出すために、色又は透過度が異なっていてもよい。
【００３５】
本発明の第６の実施形態１９２を図２９−３０に示している。理解頂けるように、この実施形態は、図２６−２８の実施形態と非常によく似ており、ここでもローラー１１８には、第１の溝１２４と第２の溝１２６が設けられているが、両溝は、直径方向反対側にあり、支持シート１０４は、後方ではなく、ローラーの前方から吊り下げられている。この実施形態でも、支持シートは一方の溝１２４に固定されており、可撓性の操作要素１０８は他方の溝１２６に支持されている。羽根板１９４は、半剛性の外側の材料条片１９６と、可撓性で、図２６−２８の実施形態と同じく支持シートと操作要素に接続されている内側の材料条片１９８と、を有している。この実施形態では、羽根板は、支持シートと実質的に同一平面となる図２９の閉位置から、図３０の部分的に開いた位置を経て、図３１の一杯に開いた位置へと、ローラーを反時計回りと逆の時計回りに回転させることによって動かされる。
【００３６】
本発明の第７の実施形態２００を、図３２−３４に示しており、ここでも、図示の様に、一対の取付溝１２４と１２６を有するローラー１１８が、支持シート１０４を一方の溝１２４から、操作要素１０８を第２の溝１２６から支持している。この実施形態では、羽根板２０２と２０４は、単に、上側縁部に沿って内向き下方向に曲がったタブ２０６を有する材料の条片であり、各条片は、横断面で、僅かに内むきに窪んでいる。カバーのパネルの最上部で始まって下向きに一つ置きの羽根板２０２は、先に述べた実施形態での様に、その上側縁部に沿って、支持シート１０４に固定されているタブを有しているので、操作要素１０８は、断続的な接続線を通って滑動することができる。最上部から２番目の羽根板２０４から始まって一つ置きの羽根板は、先に述べた実施形態の羽根板の底縁部と同じ様に、上縁部に沿って、操作要素１０８に固定されているタブ２０６を有している。この様に、カバーは、各羽根板が次の隣接する下の羽根板に重なっている図３２の完全に閉じた位置から、図３３の部分的に開いている位置を経て動かすことができ、この部分的に開いている位置では、上から二番目の羽根板から始まって１つ置きの羽根板が操作要素によって上向きに持ち上げられるので、その羽根板は、次の隣接する上側の羽根板２０２と支持シート２０４の間に形成されるポケット２０８の中へと滑り込む。カバーが図３４に示す様に一杯に開くと、一番上の羽根板から二番目の羽根板で始まる一つ置きの羽根板２０４は、次の隣接する上側の羽根板２０２と支持シートの間のポケット２０８の中に実質的に完全に閉じ込められて、対を成す羽根板２０２と２０４の間に隙間又は開口部１３８が形成され、そこを光と視界が通過する。
【００３７】
本発明のカバーの第８の実施形態２１０を、図３５−３７に示しており、ここでも、理解頂けるように、ローラー１１８は、円周方向に間隔を空けて配置されている２つの取付溝１２４と１２６を有しており、一方の溝１２４は支持シート１０４を、他方の溝１２６は複数の操作要素１０８を支持している。この実施形態では、羽根板２１２は、図２３−２５に示す実施形態の羽根板と同様であり、羽根板は、支持シートと操作要素にそれぞれ接続されている上側タブ２１６と下側タブ２１８を有する半剛性の条片２１４を含んでおり、その長手方向中心の僅か上方にある折れ線２２０が、上側区画２２２と下側区画２２４を形成している。羽根板は、羽根板が支持シート１０４と実質的に同一平面の関係にある閉位置と、羽根板が支持シートから前向きに、実質的に直角三角形になって突き出る拡張位置と、の間を動かすことができる。この実施形態では、弓形をした剛性の又は半剛性の長方形の小板２２６は、その内側縁部２２８が支持シートに隣接するように、半剛性の羽根板構成要素の上側区画２２２に固定されている。小板２２６は、羽根板の上側区画２２２の約２倍もの高さを有しているので、羽根板が図３７の開位置にあるときは、小板は、羽根板の上側区画より相当に長い距離だけ支持シートから突き出る。羽根板が図３５の様に閉じているときは、小板は、直ぐ下側に隣接する小板に重なっている。図３６は、部分的に開いた位置にある羽根板を示している。理解頂けるように、隙間又は開口部１３８は、隣接する羽根板の間で形成され始め、図３７に示す様に、羽根板が一杯に開くと、隙間又は開口部が最大になる。小板２２６は、断面で、僅かに内向き又は下向きに窪んでおり、カバーに、開いていても閉じていても魅力的な外観を与えている。
【００３８】
本発明の第９の実施形態２３０を、図３８−４０に示しており、この実施形態も、やはり、円周方向に間隔を空けて配置されている２つの取付溝１２４と１２６を有するローラー１１８を含んでおり、一方の溝１２４は支持シート１０４を、他方は可撓性の操作要素１０８を支持している。カバーの羽根板２３２は、内側構成要素２３４と外側構成要素２３６を有しており、外側構成要素は、図２０−２２の実施形態に開示されているのと同様の可撓性の材料条片である。外側の材料条片の上側縁部は支持シート１０４に固定されており、操作要素は、その接続部を通して滑動させることができ、外側の条片の下側縁部は、図２０−２２の実施形態と同じく可撓性の要素１０８に固定されている。羽根板の内側の構成要素２３４は、第１の可撓性の条片２３６より高さが低い第２の可撓性の条片なので、カバーが図４０の開位置にあるときは、第２の可撓性の条片は、外側の可撓性の条片の内側に垂れ下がっていが、カバーが図３８に示す様に閉じているときは、内側の可撓性の条片２３４は、支持シートと実質的に同一平面を成している。外側の条片２３６は、カバーが閉じた状態でも、美しく見えるように垂れている。図３９は、勿論、部分的に開いた位置にあるカバーを示しており、隣接する羽根板の間には、比較的小さい隙間又は開口部１３８が形成され、開口部は、カバーが図４０に示している様に一杯に開いているときに最大になる。羽根板に内側及び外側の材料条片を使用する目的は、数多くあり、限定するわけではないが、それらが、遮断性を改良するために、パネルの両端に開口している支持シートの互いに反対側の側部１１４と１１６沿いを除いて、閉じたエアポケットを形成しているという事実が挙げられる。更に、内側及び外側の材料条片は、可変的審美性のために、透過度と色彩の配合が異なっていてもよい。
【００３９】
本発明の第１０の実施形態２３８を、図４１−４３に示しており、この実施形態では、ローラー２４０には、複数の操作要素１０８の上側端部を取り付けるため単一の溝２４２が設けられている。ローラーは、逆Ｌ字型の断面構成の頭部レール２４４の中に回転可能に取り付けられている。従って、頭部レールは、前方プレート２４６と上部プレート２４８を形成し、前方プレートは、羽根板２５０の形をした垂れ幕を支持しており、この垂れ幕は、或る程度可撓性の材料で作られていて、羽根板のループの下側縁部が頭部レールの前方プレートの下側縁部を越えて伸張しているのが望ましい。後に続く同じ断面構成の水平方向に伸張している羽根板２５２は、頭部レールの前方プレートから垂直に吊り下げられている支持シート１０４上に支持されている。各羽根板２５２は、上縁部２５４と底縁部２５６を有しているが、上縁部と底縁部は、図１−１６の実施形態で、各羽根板の上縁部が支持シートに接続されているのと同じ方式で、断続的な接着剤の線２５８によって、支持シートに、水平方向の線に沿って同時に固定されている。その下に続く各羽根板２５２は、同じ方式で支持シートに取り付けられており、各羽根板のループの下側縁部が、次の隣接する下側の羽根板の上縁部に僅かに重なっている。操作要素１０４は、羽根板を支持シートに接続する接着剤の線２５８内の隙間又は開口部（図示せず）を通っているので、接着剤の線を通して滑動させることができる。各操作要素１０８の下側端部は、リフトバー２６０に固定されており、リフトバーは、ポリエチレンプラスチックなどの様な剛性又は半剛性のどの様なバーでもよい。カバーが図４１に示す様に一杯に伸張している状態でローラー２４０を反時計回りに回転させると、操作要素は、ローラーの回りに巻き付けられ、リフトバーは、引き上げられて、図４２に示している様に、最も下の接着剤の線と係合する。ローラーを反時計回りに回転させ続けると、図４３に示す様に、リフトバーは接着剤の線を備えた羽根板を頭部レールに隣接して集積させるので、ループ状の羽根板が見た目に美しく重ねられる。
【００４０】
図４４は、図１−１６の実施形態と非常によく似ている本発明のカバーのもう１つの実施形態２６２を示している。この実施形態では、薄布のシートとして描いてきた支持シート１０４は、ローラー（図示せず）に、ローラーの外周の１つの溝に沿って接続されている。上側と下側の縁部に沿う折り畳まれたタブ２６６と、ほぼ長手方向中心に沿う長手方向折れ線２６８とを有する複数の半剛性の羽根板２６４は、支持シート上に支持されている。羽根板は、断続的な接着剤の条片２７０によって上縁部部に沿って支持シートに支持されているので、隙間又は空間が形成され、そこを、図１−１６の実施形態に示した単繊維に代わって図４４の実施形態ではリボン又はテープ材になっている操作要素２７２が通過する。リボン又はテープ２７２は、その上側端部が、第１の溝から円周方向に間隔を空けて配置されているローラー（図示せず）の第２の溝の中に固定されているので、カバーは、単繊維が、各羽根板２６４の下側縁部に固定されているリボン又はテープ２７２と置き換えられている以外は、図１−１６のカバーと同じ方式で作動し、ローラーを回転させてリボン又はテープを上向きに動かすと、各羽根板の下側縁部が上側縁部に対して引き上げられる。
【００４１】
図４５−５２は、本発明のカバーの第１２の実施形態２７４を示しており、ここでも、円周方向に間隔を空けて配置されている取付溝１２４と１２６を有するローラー１１８が設けられている。この実施形態では、先に述べた実施形態では薄布のシートとして示されてきた支持構造は、複数の垂直方向に伸張する空間を空けて配置されている平行で可撓性のリフト要素２７８であり、この実施形態では単繊維であるが、理解頂けるように、紐、材料の条片又はリボン、天然又は合成コードなどの様な他の可撓性の要素を使用してもよい。リフト要素は、上側端部がローラーの第１溝１２４の中に固定されている。操作要素１０８は、先に述べた実施形態と同じであり、ここでも、複数の操作要素が間隔を空けた平行な関係で垂直に吊り下げられ、その上側端部がローラーの第２の溝１２６の中に固定されている。この実施形態の羽根板２８０は、前方構成要素２８２と後方構成要素２８４で構成されており、両方の構成要素は、図１−１６の実施形態と同様に半剛性の材料で作られており、構成要素の上側と下側の縁部に沿う長方形のタブ２８６と、ほぼその長手方向中心に沿って長手方向に伸張している折れ線２８８とを有している。羽根板構成要素２８２と２８４は、リフト要素２７８と操作要素１０８の互いに反対側に背中合わせの反対向きの関係で取り付けられている。パネルの前方側の羽根板構成要素２８２は、後方側の羽根板構成要素２８４より僅かに大きいので、リフト要素の長さに沿って、以降に述べる目的のために、僅かに長い距離だけ下向きに伸張する。羽根板構成要素の上側の縁部同士は、リフト要素への取付場所が一致している。
【００４２】
各羽根板構成要素の上側縁部は、接着剤の条片２９０によってリフト要素に固定され、両者の間に、操作要素１０８が滑動可能に通過する隙間が形成されている。羽根板２８０は、所定の距離だけ離して配置されているので、カバーの閉位置では、図４６に示す様に、各羽根板の前方構成要素２８２の下側縁部は、完全に閉じるため次に隣接する下側の羽根板の前方構成要素２８２の上側縁部に重なっている。
【００４３】
各羽根板構成要素の下側縁部は、操作要素の長さに沿う所定の場所で操作要素１０８に固定されているので、操作要素をリフト要素に対して引き上げることによってカバーを開位置に動かす際に、羽根板の下側縁部は、羽根板の上側縁部に向かって引っ張られる。
【００４４】
カバーの操作時、羽根板２８０のパネルは、図４６に示す様に、ローラー１１８の後側から吊り下げられ、リフト要素２７８を支持している溝１２４は、ローラーのほぼ最上部に位置し、操作要素１０８を支持している溝１２６は、ローラーの後方に位置している。パネルは、羽根板が閉じている一杯に伸張した位置にあるので、各羽根板は、平坦で、リフト要素及び操作要素と実質的に平行で且つ同一平面にある。カバーを引き込むには、ローラーを、単に時計回りに回転させ、羽根板のパネルをローラーの回りに巻き付かせればよいが、羽根板を図４６の一杯に伸張し閉じた位置から開くには、ローラーを反時計回りに回転させるので、部分的に開いた位置では、図４７に示す様に、リフト要素を固定している溝１２４はローラーのほぼ後方にあり、操作要素を支持している溝１２６はローラーのほぼ底部に位置している。理解頂けるように、溝１２６がリフト要素から変位してゆくにつれて、操作要素は引き上げられ、各羽根板の底縁部が引き上げられる。ローラーを更に反時計回りに回転させると、カバーは図４８の一杯に開いた位置へと動き、羽根板の間に、視界と光が通過する隙間又は空間１３８が形成される。理解頂けるように、本発明のこの実施形態では、パネルの互いに反対側の両端で開口している閉じたセルが、羽根板によって形成され、このセルは、リフト要素と操作要素から前方と後方に伸張している。この型式のセル式のカバーは、例えば、従来のローラーシェードでは実現できない遮断特性を提供する際に実用的な利点を有している。
【００４５】
本発明の第１３の実施形態２９２を、図５３−５５に示しており、ここでも、円周方向に間隔を空けて配置されている２つの溝１２４と１２６を有する円筒形のローラー１１８を利用しており、一方の溝１２４は、一式のリフト要素２７８の上端部を固定するのに用いられ、他方の溝１２６は、一式の操作要素１０８の上端部を固定するのに用いられている。図４５−５２の実施形態の場合の様に、各羽根板２９４は、前方構成要素２９６と後方構成要素２９８を有しており、羽根板は、断面の形状が略涙滴型である。前方羽根板構成要素２９６は、その下側縁部に沿って内方向下向きに伸張するタブ３００を有しており、後方羽根板構成要素２９８は、その上側縁部に沿って内方向上向きに伸張するタブ３０２を有しており、羽根板構成要素は、実質的に同じ構成であるが、互いに対して逆になっている。ここでも、各羽根板の上側縁部は、接着剤の条片によってリフト要素２７８に、両者の間に空間が形成される様に接続されており、操作要素１０８は、その空間を滑動可能に通過することができ、羽根板構成要素の下側縁部に固定されている。本発明のこの実施形態は、図４５−５２の実施形態と同じ方式で作動し、先ず図５３では、カバーは、一杯に伸張しているが閉じた位置にあるので、各羽根板の前方羽根板構成要素は、次の隣接する下側の羽根板に僅かに重なり、羽根板は、パネルの両側の端部が開口している閉じたセルを形成している。リフト要素と操作要素は、羽根板によって形成されているセルの中心を通って垂直方向に伸張している。カバーが、図５４に示す開位置に向かって動かされると、各セルの下側縁部が上側縁部に向かって引き上げられ、セルは、図５５に示すようにカバーが一杯に開き、隣接するセルの間に開口部又は空間が形成され、視界と光がそこを通過するようになるまで、前方及び後方の両方に拡張する。
【００４６】
本発明によるパネルの第１４の実施形態を、図５６ａ−５６ｃに示している。この実施形態では、複数の条片又は羽根板３０４は、ここでも、薄布の様なシート材又は複数の可撓性の支持要素でもよい支持構造３０６上に支持されている。条片又は羽根板は、剛性又は半剛性の材料で作られており、等しく間隔を置いた位置３０８で交互に反対方向に折られて曲げ線を形成しており、その線に沿って、条片のほぼ平坦な構成要素部分３０９を、隣接する構成要素に対して軸回転させることができるようになっている。下向きのフラップ３１０が、各条片の上縁部又は縁部帯域に沿って設けられ、先の実施形態で規定したように、可撓性の制御又は操作要素３１２が滑動可能に通過することのできる隙間を形成できる方式で、接着剤によって支持構造３０６に固定されている。制御要素は、各条片又は羽根板の底縁部又は縁部帯域に、それに沿って設けられた上向きのフラップ３１４に沿って固定されている。従って、操作要素を上下に動かすと、羽根板の上側縁部にある下向きのフラップ３１０の支持構造との接続部に設けられた隙間を通って操作要素が滑動するのに従って、各羽根板の下側縁部が上下に動く。
【００４７】
図５６ａは、一杯に伸張して閉じた状態にある本発明の第１４の実施形態を示しており、各条片又は羽根板３０４は、支持構造３０６の前面に隣接する実質的に平坦な向きに、一杯に伸張して吊り下げられている。カバーが一杯に伸張しているときに、パネルを吊り下げているロールバー３１６を反時計回りに回転させることによって操作要素３１２を上向きに動かすと、各羽根板の下側縁部が支持構造に対して持ち上げられ、羽根板に事前に設けられた折り目によって、各羽根板は上向きに集められ、その構成要素部分３０８を、隣接する構成要素部分に対して軸回転させるので、互いに反対側の両端が開口している三角形のセル３１８が形成される。形成されたセルを図５６ｂに示しており、図５６ｃは、羽根板が一杯に引き込まれた位置にあって、間に隙間３２０が形成された状態を示している。
【００４８】
図５７−６４では、これまでに説明したパネルの何れかと関係付けることのできるハードウェアシステムを示している。ハードウェアシステムについて説明するために、羽根板３２４が、支持構造３２６から垂れ下がるのではなくそこから外向きに突き出るように、図３８−４０より僅かに剛性のある材料で作られていることを除いて、図３８−４０に開示されている一般的な型式のパネル３２２を示している。
【００４９】
先ず図５７では、カバー材料のパネル３２２を支持するための頭部レール３２８は、図示の様に、前方の長手方向に伸張する目隠し板３３２を支持している一対の端部キャップ３３０を含んでおり、目隠し板は、頭部レールの上部を部分的に横切って伸張し、建築物開口部の周りの枠に固定することができる取付ブラケット３３４（点線で図示）を使って従来方式で支持されるように設計されている。頭部レールは、通常、建築物開口部の上部に隣接して配置され、図５９ａに示されている様なローラー又はロールバー３３６を含んでおり、その周りに、材料のパネル３２２がカバーの引込又は部分的引込位置で選択的に巻き付けられる。ローラーは、米国特許第６，２８９，９６４号に開示され、説明されている型式の作動機構を介して、エンドレス制御コード３３８で逆転可能に駆動され、上記開示を参考文献としてここに援用する。理解頂けるように、この作動機構では、エンドレス制御コード３３８を何れの方向にでも回転させ、ロールバー３３６をそれに対応して回転させて、カバー材料のパネルを、伸張位置と引込位置の間で動かすことができる。伸張位置では、パネルは、先に述べたパネルの実施形態と関連して述べた様に、ロールバーから外へと伸張し、但しロールバーから吊り下げられており、引き込まれると、パネルは、ロールバーの回りに巻き付けられる。その様な作動について、以下詳細に説明する。
【００５０】
図５９−６２では、カバー材のパネル３３２は、図示の様に、先にもっと一般的な用語で要素１１７として開示した底部レール３４０を含んでいる。底部レールを用いると、材料のパネルの底縁部に沿って重量が加わり、パネルを支持しているロールバーの操作によって許容されたときに、パネルが重力によって落下するのを促す。以後、詳細に述べる様に、底部レールは、支持構造３２６及び操作要素３１２と協働するように設計され、最終的に見た目に美しい下側縁部をカバーに提供できるようにパネルと関係付けられたヒンジ結合の２区画レールである。軸回転式の底部レールは、更に、頭部レールに設けられている、ローラーの引込方向の回転を制限する調整可能なストッパ３４４と協働するように設計されている。つまり、パネルが頭部レールの中に一杯に引き込まれるとき、底部レール３４０は、調整可能なストッパ３４４と係合して、ロールバーがその方向に更に回転するのを防ぐ。調整可能なストッパの頭部レールとの協働については、以後、更に詳細に説明する。
【００５１】
図５９ａを見ると、パネルの様々な他の実施形態と関連付けて包括的に先に述べた様に、ロールバー３３６は、支持構造３２６と操作要素３１２の上側端部それぞれを固定するようになっている直径方向反対側に配置された溝３４６と３４８を有している。図５９ｂと図５９ｃで良く分かるように、支持構造の下側縁部と、操作要素３１２の下側端部に固定されているダミー羽根板又は条片３５０の下側縁部は、底部レール３４０内に固定されている。これらの図面では、底部レールが、大きい押出成形区画３５２と小さい押出成形区画３５４で構成されており、大きい方の区画は、小さい方の区画より下方に示されていることが分かる。両区画は、ヒンジ要素３５６と相互接続されており、ヒンジ要素は、ビーズ状の縁部３５８を有するプラスチックの様な剛性又は半剛性の材料の細長い条片である。ダミー条片３５０は、パネルの羽根板又は条片３２４に用いられているのと同じ材料の条片であるのが望ましい。ダミー条片は、パネルの最も下の羽根板又は条片３２４の下側縁部に固定されている上側縁部（図示せず）と、底部レールに固定されている下側縁部３６２を有しており、これについては以下に説明する。
【００５２】
底部レールの大きい方の区画３５２は、その上側端部に突出縁部３６６を備えている僅かに弓形の本体３６４と、突出縁部に隣接して、ヒンジ要素３５６の１つのビーズ状の縁部３５８を軸回転可能に受け入れるようになっている開放溝３７０を有する隆起した取付要素３６８と、を有している。大きい方の区画の反対側又は下側の端部３７２は、湾曲し、略Ｔ字型断面の隆起した要素３７４から間隔を空けて配置されているので、両者の間にポケット３７６が形成され、その中に、図５９ｃに示している様に、パネルのダミー条片３５０の下側縁部が固定される。ダミー条片の下側縁部は、固定条片３７８の回りに巻き付けられ、大きい方のレール区画の湾曲した端部と隆起したＴ字型要素の間に形成されているポケット３７６へ挿入される。図５９ｂに示す代替の取付具のダミー条片を、大きい方の底部レール区画の湾曲した端部３７２の回りに巻き付けて、弓形の本体３６４の面を横断して伸張させ、その上側縁部３６６の回りに巻き付けた後で、接着剤でそこに固定することもできる。何れにしろ、支持構造が図５９ｃ又は５９ｂに示す様に固定されているかに関わらず、支持構造は大きい方の区画の下側縁部に固定されている。
【００５３】
第２ポケット３８２は、Ｔ字型要素３７４と取付要素３６８の間に形成され、図５９ｄに示している様に、このポケットに挿入される底部レール３４０の端部キャップのリブ３８４を受け入れる。
【００５４】
底部レールの小さい方の区画３５４は、図５９ｂと図５９ｃで大きい方の区画３５２の上方に描かれており、凹型本体３８６と下側縁部３８８を有しており、この下側縁部は、ヒンジ要素３５６の、大きい方の区画に取り付けられている縁部とは反対側の縁部に沿って設けられているビーズ状の部分３５８を軸回転可能に受け入れて保持するようになっている開放溝３９０を形成している。小さい方の底部レール区画の上側即ち反対側の縁部３９２は、湾曲しており、凹型本体上の隆起したリブ３９６と小さい方の区画の湾曲した縁部３９２の間にポケット３９４を形成している。このポケットは、支持構造３２６の下側縁部を受け入れて保持するようになっており、この支持構造の下側縁部は、ポケット内に配置されている剛性又は半剛性の固定条片３９８の回りに巻き付けられている。
【００５５】
以上から理解頂けるように、操作要素３１２は、図５９ｂと図５９ｃに示している様に、ダミー羽根板３５０を通して、底部レールの大きい方の区画の下側縁部に作動的に固定され、支持構造３２６は、図５９ｂと図５９ｃに示している様に、底部レールの小さい方即ち上側の区画の上側縁部に固定され、底部レールの２つの区画は、互いに軸回転運動できるようにヒンジ接続されている。
【００５６】
図５９ｄは、底部レールの大きい方の区画３５２と小さい方の区画３５４を分解図で示しており、同時に、両者の間に配置されているヒンジ要素３５６と、見た目を美しくし、且つ、ヒンジ要素と、支持構造とダミー羽根板を底部レールの押出成形された区画に固定するのに用いられる固定条片とを閉じ込めるために提供される、大きい方及び小さい方の底部レール区画に取り付けられる端部キャップ３８６と、を示している。
【００５７】
図６１は、パネルがロールバー３３６から一杯に伸張する直前の、パネル３２２の下側縁部に吊り下げられている底部レール３４０を示している。図６２、６２ａ、６２ｂ、６２ｃは、パネルを、ロールバーの回りに巻き付けられている引込位置から、一杯に伸張した位置へ動かすときに、底部レールが支持構造３２６及びダミー羽根板３５０、並びにロールバーとどの様に協働するのかを示す作動図である。
【００５８】
先ず図６２を見ると、パネル３２２は、実質的に一杯に伸張しており、理解頂けるように、底部レール３４０の大きい方の区画３５２と小さい方の区画３５４が垂直方向に向いて整列している。操作要素３１２が固定されているロールバー内の溝３４８は、ロールバー又はローラー３３６の左側にあり、支持構造３２６が固定されている溝３４６は、ローラーの右側にあり、支持構造３２６がローラーの上部に巻き付けられることにも注目されたい。図６２ａは、ローラーが反時計回り方向に四分の一回転し、底部レールが、最も下まで下げられ、カバーを取り付ける窓又は他の建築物開口部の枠に隣接している状態を示している。図６２ｂでは、ローラーは、反時計回り方向に更に四分の一回転しており、理解頂けるように、操作要素が固定されている溝３４８は、ここではローラーの右側にあり、操作要素を上向きに引っ張りって、操作要素の下側端部に接続されているダミー羽根板３５０を引き上げるので、底部レールの上縁部が支持構造３２６と共に継続して下向きに動くにつれ、底部レールの下側縁部が引き上げられる。この運動は、図６２ｂで分かる様に、底部レールの底縁部を前向きに動かす。ローラーを反時計回り方向に回し続けると、操作要素が固定されている溝３４８は、ローラーの最上部に移動し、操作要素を、そしてそれと共に底部レール３４０の底縁部を更に上向きに引っ張り、同時に、支持構造が接続されているローラー内の溝３４６が、ローラーの左側から図６２ｃに示す様にローラーの底部へ動くにつれて、支持構造は継続して下向きに動く。この位置では、理解頂けるように、元々は底部レールの上縁部だった所が、建築物開口部の枠に近接する位置まで下りてきており、底部レール全体を枠に近接したままにしながら、底部レールの底縁部が持ち上げられている。この過程で、各羽根板３２４は、隆起した位置、即ち開位置に動かされているので、羽根板の間には隙間４０２ができており、そこを光と視界が通過する。パネル３２２を、図６２ｄに等角図で、図６２ｃで取っているのと同じ位置で示している。
【００５９】
図６３−６３ｄは、底部レールが、２つの区画の底部レールから、３つ以上の区画、図示の例では５つの構成要素４０６を有する底部レール４０４に修正されている、本発明のカバーの装置を示している。図６３ａと６３ｂで良く分かる様に、この底部レール装置では、理解頂けるように、５つの同じ軸回転可能に相互接続されている底部レール構成要素４０６があり、各構成要素４０６は、弓形の横断面の本体４０８を有し、構成要素の窪み側に、上部及び底部の長手方向縁部それぞれに沿って内向きのリップ４１０と４１２を有している。勿論、構成要素は、細長く、窓カバーの全幅に伸張している。各構成要素のリップは、構成要素の凹型の本体部分と協働して、操作要素３１２と同期して動くダミー条片３５０か、又は薄布材のシートとして開示している支持構造３２６かの何れかを固定する働きをする固定条片４１６を受け入れるための、構成要素の全幅に伸張するポケット４１４を形成している。
【００６０】
操作要素３１２と同期して動くダミー条片３５０は、図６３ａで良く分かるように、下側部分が、底部レール４０４の上側の３つの構成要素４０６に固定されている。理解頂けるように、可撓性であるダミー条片は、その接続部から、カバーのパネル３２２の最も下の羽根板３２４の下側縁部まで下向きに伸張しており、最も上のレール構成要素の上側リップ４１０の回りに巻き付けられ、その後、下向きに伸張し、最も上のレール構成要素の下側リップ４１２に巻き付けられている。ダミー条片は、構成要素の窪み側に形成されるポケット４１４内に配置されている剛性又は半剛性の固定条片４１６によって、その位置に保持されている。ダミー条片は、次に、下向きに伸張し、２番目に高いレール構成要素４０６の上側リップ４１０の回りに巻き付けられ、続いて、２番目に高いレール構成要素の下側リップ４１２の回りに巻き付けられ、２番目に高いレール構成要素のポケット４１４内に配置されている別の固定条片４１６によって、この構成要素の所定の位置に保持される。ダミー条片は、３番目に高いレール構成要素の上側リップ４１０の回りに伸張し、ここでも、３番目に高いレール構成要素のポケット４１４内に配置されている固定条片４１６によって所定の位置に保持される。
【００６１】
カバー用の薄布材又は支持構造３２６は、底部レールの底縁部まで下向きに伸張し、そこで、最も下のレール構成要素の窪み側のポケット４１４内に配置されている固定条片４１６によって、最も下のレール構成要素４０６内に保持される。支持構造は、次に、上向きに伸張し、最も下のレール構成要素の上側リップの回りに巻き付けられ、続いて、２番目に低いレール構成要素の下側リップ４１２の回りに巻き付けられる。その後、支持構造は、２番目に低い構成要素の上側リップ４１０の回りに上向きに伸張し、ここでも、固定条片４１６によって、２番目に低い構成要素内の所定の位置に保持される。支持シートは、その後、先に述べた３番目に高い構成要素の下側リップ４１２の回りに巻き付けられ、固定条片４１６によって、３番目に高い構成要素内の所定の位置に保持される。
【００６２】
図６３、図６３ａ、図６３ｂに示している底部レールを備えたカバーの作動を、図６３ｃと図６３ｄに示している。図６３ｃでは、カバーパネル３２２は、図示の様に最も下まで下げられており、作動構成要素３１２を固定し、従ってダミー条片３５０と関係付けられているローラー内の溝３４８は、ローラーが反時計回り方向に回転するにつれて、ローラーの右側まで動かされている。この運動によって、底部レール４０４の下側縁部は引き上げられ、同時に、底部レールの上側縁部は、支持構造３２６に接続されているので落下し続け、支持構造が固定されている溝３４６はローラーの左側にくる。ローラーを継続して反時計回りに回転させると、支持構造は、その支持溝３４６がローラーの底部へと動くので、更に落下し、一方、操作要素を固定している溝３４８は、ローラーの右側からローラーの上部へ動いて底部レールの底縁部を更に引き上げるので、底部レールは、図６３ｄに示すように、横断面がほぼチャネル形になる。更に、この過程で、羽根板３２４の下側縁部は先に述べた様に引き上げられるので、図６３ｄに示す様に、羽根板の間に隙間４０２が作られる。
【００６３】
図６２−６２ｄで先に述べたカバーに用いられる底部レールの更に別の実施形態を、図６４−６４ｄに示している。図６４では、カバー用のパネル３２２は、図示の様に一杯に伸張しているが、羽根板３２４は閉位置にあり、上向きに開いているチャネル型の本体４２０を有する底部レール４１８が、パネルの真下に吊り下げられている。細長いローラー４２２は、チャネル型の本体内に中で回転できるように支承されていて、その周りにパネルの後面に向かって巻き付けられたダミー条片材３５０を有しており、ダミー条片材の自由端は、開示している実施形態では薄布のシートである支持構造３２６の後面に取り付けられている。この底部レールの実施形態を有するカバーの作動を、図６４ｃと６４ｄに示している。図６４ｃでは、操作要素３４６を固定しており、従ってダミー条片と作動的に接続されているローラー３３６の溝３４８は、溝がローラーの右側に来て操作要素が引き上げられ始めるまで、反時計回り方向に回転されている。操作要素が引き上げられるにつれて、薄布支持構造３２６は、そのローラー３３６への取付溝３４６がローラーの左側にあり、ローラーの右側が上向きに動くにつれて下向きに動くので、落下し続ける。従って、ダミー条片材は操作要素と共に動くので、操作要素が上向きに引っ張られると、ダミー条片の前方部分は上向きに引っ張られ、一方、支持構造に接続されているダミー条片材の背面部分は、支持構造と共に下向きに動く。図６４ｄでは、操作要素を固定している溝３４８は、ローラーの最上部に移動し、羽根板３２４の底縁部を最大限に引き上げて、羽根板の間に隙間４０２を作っている。底部レール内のローラー４２２の回りに巻き付けられているダミー条片材は、単に、底部レールの本体４２０内のローラーと共に回転するだけなので、底部レールは、カバーが取り付けられている建築物開口部の枠に隣接する最も低い位置に留まる。当業者には理解頂けるように、底部レールは、ダミー条片に滑らかな滑動面を提供するために曲線状であるのが望ましい固定面でも良好に機能するかもしれないので、必ずしもローラーでなくてもよい。
【００６４】
図６５に示すように、重さのあるロッド又は他の要素４２３を、パネル３２２の、例えばパネルの底縁部４２５の上方の間隔を空けた位置に取り付けることができ、ロッド又は他の要素の重量が、頭部レール（図示せず）からパネルを望ましく吊り下げるのを促すのに十分であり、一方で、羽根板３２４の下側縁部を操作要素３４６で引き上げるのにある程度の抵抗を付与するのであれば、底部レールは、必ずしも無くてもよいことに注目頂きたい。例えば、図示の様に、ポケット４２７は、パネルの底縁部から上向きに間隔を空けて配置されている羽根板の内側に羽根板自体と同じ材料で形成してもよい。ポケットは、羽根板の内側に見えないように配置して、適量の重量の細長いロッド４２３をポケットの中に封入すればよい。この様にすれば、パネルをロールバーから巻き解くとき、ロッドの重量は、パネルが垂直方向に垂れるのを促し、また、ロッドが羽根板の底縁部に隣接する羽根板の中に封入されているので、羽根板の下側縁部を引き上げることによって羽根板を開くために操作要素が持ち上げられるとき、ロッドは、羽根板を開放するのに対し幾らかの抵抗を付与し、羽根板が閉位置に向かって動いているときに操作要素が下げられると、羽根板の底縁部が下がるようにするのを支援する。その様なロッド又は要素４２３の正確な重量は、当業者の技量の範囲内にあり、勿論、先に述べた様にカバーを作動できるように選択される。重さのあるロッドはパネル３２２の底部近くに配置されるので、短い長さのパネル材が重さのあるロッドの下に吊り下げられ、この短い量の材料は、垂直方向に吊り下げられるのを維持するための重さのある要素を必要としない。
【００６５】
先に述べたように、本発明のカバー用のハードウェアは、目隠し板３３２を支持するための端部キャップ３３０を有する頭部レール３２８を含んでいる。端部キャップは、更に、ローラー又はロールバー３３６を、エンドレス制御コード３３８でその長手方向軸周りに逆方向にも回転させることができるように、従来の方式で支持している。先に述べた調整可能なストッパ３４４は、カバーが引き込まれているときにカバーの底部レール３４０と係合し、カバーが一杯に引き込まれた位置でロールバー３３６の回転を阻止できるように、複数の異なる位置の内の何れかで端部キャップに取り付けることができる。カバーのパネル３２２は、カバーが取り付けられる建築物開口部の寸法次第で、様々な長さの何れにでもすることができるので、ローラー上のパネルの累積長さは変化し、それによりカバーが一杯に引き込まれたときの頭部レール内のローラーの有効径も直接的に変化する。つまり、パネルが長いほど、カバーが一杯に引き込まれた位置でローラーの周りにパネルが巻き付けられている状態の有効径は大きくなる。
【００６６】
図面で分かる様に、ローラー３６６の、時計回り方向の引込回転を制限するために本発明のカバーに用いられているストッパ３４４は、パネル３２２の底部に沿って底部レール３４０と係合するようになっており、ローラー上に積み重ねられたパネル材の半径は、パネルの長さによって変わるので、カバーが一杯に引き込まれた位置で底部レール３４０が頭部レール３２８に入るときの底部レール３４０の位置も変わる。従って、ストッパ３４４を、ローラー３３６の回転軸から異なる半径方向距離に位置決めできる必要がある。図５８ａと５８ｂで良く分かる様に、底部レールが頭部レールに入るときの様々な位置に対応するため、調整可能なストッパ３４４は、頭部レールの各端部キャップ３３０に設けられた３つの異なる開口部又は座の組４２４の何れにでも配置することができる。ストッパも、逆に向けて、２つの位置の何れかで開口部の対の内の何れかに収納できるようになっているので、本発明のシステムによって収納されるストッパには、６つの異なる位置がある。
【００６７】
先ず図５８ｂでは、図示の様に、ストッパ３４４は、幾らか窪んだ底縁部４２８を有し、本体の互いに反対側４３２から反対方向に伸張している二対の垂直方向に間隔を空けて整列しているアーム４３０を備えているブロック形の本体４２６を含んでいる。各対の上側のアーム４３４は、その末端にキャッチ４３６を有している。各対のアーム４３０は、本体４２６の一方の縁部４３８に、反対側の縁部４３８よりも近接して配置されており、そのことが、以後説明する方式でストッパの位置を変える。
【００６８】
各端部キャップ３３０は、三組の開口部又は座４２４を含んでいる、ストッパ要素の差込口４４２を有している。各組の開口部は、垂直方向に整列している上側通路４４４と下側通路４４６を有しており、各対の上側通路は、端部キャップ３３０の上部を貫通している垂直方向開口部４４８と連通している。各対の通路は、ストッパの一対のアーム４３０を受け入れるようになっており、上側のアームのキャッチ４３６は、ストッパが配置されている対の通路に関係付けられている垂直方向開口部４４８内に、解除可能に捕捉されるようになっている。
【００６９】
従って、理解頂けるように、例えば図５８ｂで分かる様に、一方向に向けられているストッパ３４４では、ストッパの左側の一対のアーム４３０は、三組の開口部４２４の何れにでも挿入し、上側のアームのキャッチ４３６で、その中に解除可能に保持することができるようになっている。各組の開口部は、ストッパの本体４２６の凹型の底縁部４２８をローラー３３６の回転軸から異なる半径距離に配置して、ローラー上に積み重ねられた異なる長さのパネルに対応する。ストッパを逆に向けることによって、反対側の面から突き出ているストッパ上の一対のアームを、三組の開口部の内の１つに挿入することができるが、両方の対のアームは、本体の一方の縁部４３８に、反対の縁部４３８よりも近接して配置されているので、本体の凹型の下側縁部を、他の組のアームが通路の１つに配置された場合とは異なる位置に配置することになる。従って、ストッパ要素を、２つの向きの内の一方に向け、それを、端部キャップの三組の通路の内の１つに挿入することによって、ストッパ要素の凹型の底縁部４２８のための６つの異なる場所を、カバーを一杯に引き込んだ位置にあるカバーの底部レールと係合させるために、作り出すことができる。勿論、ストッパ要素の凹型の底縁部は、比較的広いので、各位置自体が、自然に、所与の範囲内の長さを有するパネルが周りに巻き付けられたローラーの様々な有効半径に対応する。
【００７０】
本発明のカバーの別の実施形態を、図６６−８４に示している。この実施形態は、図５７−６４に示しているのと同様のパネル４５０を使用しており、支持構造４５２は、例として薄布材のシートとして示されており、その前面に、複数の二重ループの作動羽根板４５４が支持されている。羽根板は、内側ループ４５６と外側ループ４５８を有しており、両ループは、羽根板の上縁部４６０と底縁部４６２で隣接しており、各羽根板の上縁部は、薄布に、取付部の水平方向線４６４に沿って接着剤などで固定されている。各羽根板は、隣接する羽根板から所定の間隔を空けて取り付けられている。例としてマイクロフィラメントなどの形で示されている複数の操作要素４６６は、薄布の前面に沿って垂直方向に伸張しており、等間隔に離れた場所で、それらの長さに沿って、各羽根板の底縁部４６２に固定されており、一方、各羽根板の上縁部４６０を薄布に取り付ける線４６４に設けられた隙間（図示せず）を通って、自由に滑動できるようになっている。
【００７１】
操作要素の上側端部と薄布の上縁部とは、後で説明する様に、それぞれ、ローラー４７２の互いに反対側の溝４６８と４７０の中に固定されている。操作要素４６６は、シェードの操作中に薄布に対して上げ下げできるようになっており、操作要素を薄布４５２に対して引き上げると、操作要素は、各羽根板の下側縁部４６２をその上縁部４６０に対して、羽根板が図６６の開位置になって各羽根板の上縁部と底縁部が互いに近接するまで引き上げる。勿論、操作要素を薄布に対して逆に、即ち下向きに動かすと、各羽根板の底縁部を上縁部に対して、羽根板が閉位置になるまで落下させることができ、閉位置では、羽根板は、垂直方向に伸張し、薄布と重なる関係になり、隣接する羽根板と僅かに重なる関係になって、シェードを視界と光が通過できないようにする。
【００７２】
図７６で良く分かる様に、シェードの底部にある作動しないダミー羽根板４７４の直ぐ上にある最も下の作動する羽根板４５４は、その下側縁部に沿って重さのあるバー４７６を有しているので、操作要素４６６を薄布に対して下向きに動かすと、重さのあるバーは、重力によって最も下の羽根板の下側縁部を下向きに引っ張り、その際、各羽根板の下側縁部はそれぞれ操作要素にその長さに沿って間隔を空けた位置で固定されているので、上方の各羽根板の下側縁部を下向きに同時に引っ張る。
【００７３】
作動しないダミー羽根板４７４は、望ましくは作動する羽根板と同じ材料で作られたループに過ぎず、上縁部が薄布４５２の前面に、底縁部が底部レール４７８に固定されている。
【００７４】
図６７−６９を見ると良く理解頂ける様に、底部レール４７８は、略Ｕ字型であり、薄布４５２の下側縁部と、ダミー羽根板４７４の下側縁部とに接続されている。理解頂ける様に、底部レールは、弓形の前方壁４８０と、後方に突き出て垂直方向に間隔を空けて配置されている２つの脚部４８２とを有しており、脚部は、その後方縁部４８４に沿ってフック形状になっており、前方壁と協働してその間にチャネル４８６を形成している。更に、上と下の間隔を空けて配置されている脚部両方の外面に、ポケット４８８が形成されている。脚部は、内向きに突き出ているビード４９０を有しており、チャネル４８６に入る口部を形成している。
【００７５】
薄布４５２の下側縁部は、上側脚部４８２上のポケット４８８に挿入されている上側固定バー４９２の回りに巻き付けられており、ダミー羽根板４７４の下側縁部は、下側脚部のポケット４８８内に着座する下側固定バー４９４の回りに巻き付けられている。中心のチャネル４８６は座を形成し、その中に、同業者間では既知の１つ又は複数の滑動可能に調整できるバラストバー４９６を配置することができるようになっている。本開示では、バラストバーは、断面が円形で、後面から突き出ているフィンガ４９８を有しており、フィンガを手で握って、バラストバーを、チャネルの長さに沿って、軸方向に決められた位置の間で動かすことができるように描かれている。バラストバーは、シェードの重量分布を調整して、底部レールが常に水平に配置され、従って、シェードがローラー上に滑らかに巻き付くようにするために用いられている。
【００７６】
ローラー４７２は、従来方式で頭部レール５００（図７１）に回転可能に取り付けられており、頭部レールは、フォーク状に後方に突き出ている底縁部５０４で終端している弓形の前方壁５０２と、後方に開いている窪み５０８を直ぐ下に有している上壁５０６とを含んでおり、窪み５０８に端部キャップ５１０を固定できるようになっている。ローラーは、図６６に示している制御コード５１２によって、従来方式で、一方向又はもう一つの方向に回される。
【００７７】
図７１では、シェードが一杯に引き込まれた位置にあり、パネル４５０はローラー４７２の回りに巻き付けられ、底部レール４７８は、そこから吊り下げられているが、見た目を美しくするために頭部レール５００内に閉じ込められている状態を示している。頭部レールの前方壁の下側のフォーク状縁部５０４は、フォークの上側脚部５１６に接続されているクリップ５１４を有しており、クリップは、布材料などの装飾的な頭部レールカバーシート５１８の下側縁部をフォークの下側脚部５２０に固定している。カバーシート５１８の上側縁部５２２は、接着剤又は別の方法で、頭部レールの上壁５０６に固定されている。
【００７８】
クリップ５１４は、リミッタシステムの一部を形成しており、細長い、望ましくは押出成形要素であり、図７０にも示している様に、斜めに伸張し上向きで後向きに傾斜しているキャッチプレート５２４と、キャッチプレートの下側部分から水平方向に伸張している上側アーム５２６と下側アーム５２８とを有している。上側アームは、フォーク状の上側脚部５１６の前方に面している壁５３２に接続可能な下を向いたリップ５３０を有しており、下側アームは、布カバー５１８の下側縁部と係合して、それを所定の位置に固定する戻りリップ５３４を有している。従って、図７１に示す様に、クリップは、以後説明する目的でキャッチプレート５２４が上向きで後向きに突き出ている状態で、頭部レールの下側縁部に解除可能に固定することができる。
【００７９】
シェードの作動を、図７１と図７６−８０に示しており、図７６は、頭部レール５００内のローラーから、反時計回りに巻き解かれ始めたシェードを示している。底部レール４７８は、布パネル４５０との関係では比較的重く、ローラーが回されると、重力によって落下し、勿論、回転は、制御コード５１２によって従来方式で任意の位置に止めることが
できる。先に述べた様に、薄布４５２は、固定ロッド５３８によってローラー４７２の１つの溝４７０の中に固定されており、操作要素の上側端部は、固定ロッド５３８によって直径方向に反対側の溝４６８の中に固定されているので、ブラインドが一杯に伸張した位置に近づく（図７７）と、薄布が取り付けられている溝４７０は、ローラーの最上部に位置し、操作要素が固定されている溝４６８は、ローラーの底部に位置する。図７２と図７７−８０で良く分かるように、キャッチバー５４０は、薄布４５２の前面に、パネル４５０の最も上の羽根板４５４の上縁部の直ぐ上で水平方向に固定されている。取付は、接着剤、超音波接着、又は他の適した方法で行うことができる。キャッチバーは、図７２で良く分かるように、薄布４５２に固定される垂直方向の背板５４２と、複数の下向きで前向きに突き出ている細長いフィンガ５４４を有しており、フィンガは、互いに空間５４５を空けて配置されており、その空間は、選択された操作要素４６６が滑動可能に通過する経路を形成している。フィンガ５４４は、以後に説明する目的で、キャッチプレート５２４と垂直方向に重なるようになっている。何らかの剛性又は半剛性の材料の補強条片５４６が、キャッチバーを直立に保持し、キャッチプレート５２４と垂直に整列するのを支援するため、薄布の、キャッチバーとは反対側に固定されているのが望ましい。
【００８０】
図７２に示すキャッチバー５４０を有しているリミッタシステムの代替案を図７３−７５に示しており、図７３は、複数の平坦なバー５４６の内の１つを示していて、このバーは、その長さに沿って間隔を空けた位置で前向きに突き出ているフィンガを形成しているパンチタブ５４８で薄布に固定することができ、以後に説明するようにキャッチプレート５２４と協働するようになっている。複数のバー５４６を設けて、操作要素がパンチタブの間を通過できるようになっている。図７４は、別の実施形態５５０を示しており、背板５５２の下側縁部に沿ってフィンガ５５４の間の隙間に切り込み５５３が入れられ、操作要素をその中に閉じ込めて、操作要素を隣接するフィンガの間の隙間に留めるようにしていることを除き、図７１の実施形態と非常に良く似ている。図７５は、更に別の装置を示しており、薄布に固定できる背板５５８と、前向きで下向きに突き出ているフィンガ５６０とを有する複数の逆Ｖ字型部材５５６がある。操作要素は、各部材５５６の、薄布への接続位置の間を滑動可能に通過する。
【００８１】
図７７では、シェードは、キャッチ５４０がクリップ５１４のキャッチプレート５２４に間もなく重なる位置にあるので、ローラーが更に反時計回り方向に回転すると、キャッチがキャッチプレート上に落下して（図７８）、キャッチと、それに接続されている薄布４５２が更に下向きに動くのを防ぐ。こうなると、操作要素４６６を固定しているローラーの溝４６８は、キャッチプレートから更に離れる方向に回転するので、操作要素が引っ張られ始め、その結果、操作要素は羽根板の下側縁部４６２へ接続されているので、羽根板の下側縁部が上昇し始める。ローラーを反時計回り方向に更に回転させると、図７９に示す様に、操作要素の上縁部が、キャッチプレートから離れる方向に更に引っ張られるので、羽根板の下側縁部が更に上昇し、図８０に示す様に、シェードは一杯に伸張し、羽根板はローラーの極限位置で一杯に開かれる。図７８−８０で分かるように、操作要素が羽根板の下側縁部を引き上げるにつれ、余った薄布４５２が頭部レール内に見えないように集められる。薄布の残りは、先に述べた様に、静止しており、底部レール４７８は、シェードが取り付けられている建築物開口部の窓枠又は底縁部に隣接しているのが望ましい。
【００８２】
代わりのリミッタシステムを、図９３と図９４に概略的に示しており、フックバー５６０が、シェードの頭部レール５００の中に、薄布４５２の裏側、即ち操作要素４６６及び羽根板４５４とは反対側に隣接して取り付けられている。フックバーは、金属又はプラスチックの様な何らかの適した剛性又は半剛性の材料で作られ、何らかの適した方式で頭部レール内に支持されている。フックバーは、垂直方向の本体５６２と、前向きで上向きに傾斜している下側リップ５６４とを有しており、薄布の背面の所定の位置に取り付けられているクリップ５６８を捕捉又は解放可能に受け入れるように作られた切り込み５６６を
形成している。クリップも、金属又はプラスチックの様などの様な適した材料で作ってもよく、本質的に剛性又は半剛性である。強化条片（図示せず）を薄布の反対側、即ち前面にクリップと整列させて取り付け、クリップの布への取付を強化して、クリップが、図示の通り望ましい方向に維持されるようにしてもよい。図９３では、シェードは、その一杯に展開した状態に近付いているが、羽根板は、操作要素で開かれる前である。図９４に示す様にローラーを反時計回りに回転させ続けると、クリップは、フックバーの切り込み５６６の中へと落下するので、薄布が更に下向きに動くのが妨げられ、他のリミッタシステムに関連して先に述べた通り、操作要素が羽根板を開く。
【００８３】
図９５と図９６は、リミッタシステムの更に別の代替案を概略的に示しており、支持バー５７０が、頭部レール５００の中に、何らかの適した方式で、薄布４５２の、羽根板４５４及び操作要素４６６とは反対側の後ろ側に直ぐに隣接する位置で、取り付けられている。支持バーは、その下側縁部に沿って水平方向の窪みを有しており、そこには磁石５７２が、薄布の後面に直ぐ隣接した位置に固定されている。薄布の後面の所定の位置には、水平方向の金属条片５７４が固定されており、薄布上の金属条片が通過するときに、金属条片が磁石に引き付けられ、解放可能に貼り付くようになっている。図９５では、シェードは一杯に展開される直前の位置にあるが、羽根板は閉じている状態が示されている。図９６では、シェードのローラー４７２は、反時計回り方向に僅かな距離だけ回され、金属条片が磁石と整列しており、両者は引き合い、解除可能に貼り付いている。勿論、これは、薄布が更に下向きに動くのを制限又は抑制するので、ローラーを反時計回り方向に更に回すと、先に述べた様に、操作要素は、羽根板をその開位置に持ち上げることができる。支持バーは、シェードがその一杯に伸張した位置に達するときに、磁石が確実に金属条片に密に隣接するように、頭部レール内に調整可能に取り付けられるが、ホルダーを取り付けるためのシステムは、当業者の技量の範囲内であるので、説明は不要であろう。
【００８４】
図９７と図９８は、本発明のシェードのリミッタシステムの別の代替案を示している。この代替案では、頭部レール５００のフォーク状の下側縁部５３２が、アンカー５７６をフォーク状のフィンガの間の空間に受け入れるようになっており、このアンカーは、垂直方向プレート部５７８を有しており、その後方の垂直な面にはベルクロＲ．Ｔ．Ｍ．のループ材の条片が貼り付けられている。薄布４５２の前面には、ベルクロＲ．Ｔ．Ｍ．のフック材が、最も上の羽根板４５４の直ぐ上の、シェードの展開時にフック材がループ材に近付くとアンカー上のループ材を掴むことができる位置に、取り付けられている。複数（図示せず）のフック材の条片５８２が水平方向に間隔を空けて配置され、その間に操作要素４６６が動くための空間が形成されているのが望ましい。シェードが一杯に伸張しているとき、図９８に示す様に、フック材はループ材と整列しており、ローラー４７２が操作要素で反時計回り方向に回されると、操作要素は頭部レール内で前向きに引っ張られるので、フック材は実際に引っ張られてループ材と係合する。勿論、シェードを引き込むためローラーが時計回り方向に回されるときは、フック材とループ材は係合解除されるわけで、理解頂けるように、リミッタシステムの作動には影響が無いので、フック材とループ材は逆でもよい。
【００８５】
図９９−１０１は、別のリミッタシステムを示しており、ローラー５８４は、その長さに沿ってその周囲の約１８０度を覆う弓形の窪み５８６を設けることによって、先に述べた装置から修正されている。剛性又は半剛性構造の３つの間隔を空けて配置された弓形のバンド５９０を有する弓形のブラケット５８８は、図９９に示す様に、５９２でローラーに、長手方向に、弓形の溝の最も上の端部に隣接して固定されている。図１００と図１０１で良く分かる様に、バンドは、ローラーの弓形の溝と協働して、薄布４５２の上側縁部に固定されている支持ロッド５９４を乗せる弓形の軌道５９３を形成し、薄布には、弓形バンドを通すためにスロット５９６が形成されている。図１００で良く分かる様に、シェードが引き上げられ、時計回り方向に回転されるとき（図示せず）、ロッドは、軌道５９３の下側端部に収まっているので、ローラーが時計回りに回転される間、シェードは、ローラー及びバンドの外面の回りに巻き付けられる。しかしながら、シェードが巻き解かれるときは、図１００と図１０１に示す様に、ローラーが反時計回り方向に回転することにより、支持ロッド５９４は、ローラーが羽根板４５４を開位置に持ち上げることによって操作要素４６６が前向きに引っ張られるにつれて、軌道内を上昇するようになっている。理解頂けるように、軌道は、操作要素が持ち上げられる際には頭部レール５００の下側縁部から等距離にあるので、薄布は落下するのが防止され、操作要素が、羽根板を開位置に持ち上げることができるようになる。
【００８６】
本発明のカバーの更に別の実施形態を、図１０２−１１５に示している。この実施形態も、図５７−６４に示しているのと同様のパネル４５０を使用しており、支持構造４５２は、例として、前面上に複数の二重ループの作動羽根板４５４を支持する薄布のシート材として示されている。羽根板は、内側ループ４５６と外側ループ４５８を有しており、両者は、羽根板の上縁部４６０と底縁部４６２で連結されており、各羽根板の上縁部は、接着剤などで、薄布に、取付の水平線４６４に沿って固定されている。各羽根板の取付は、隣接する羽根板から所定の間隔を空けて行われている。一例としてマイクロフィラメントなどの形で示されている複数の操作要素４６６は、薄布の前面に沿って垂直方向に伸張しており、その長さに沿って等間隔の位置で、各羽根板の底縁部４６２に固定されていて、各羽根板の上縁部４６０の薄布への取付線４６４に設けられた隙間（図示せず）を通って自由に滑動できるようになっている。
【００８７】
操作要素の上側端部と薄布の上縁部は、後で説明する様に、それぞれローラーの反対側の溝４６８と４７０に固定されている。操作要素４６６は、シェードの操作中は、薄布に対して上下させることができるようになっており、操作要素を薄布４５２に対して持ち上げると、操作要素は、各羽根板の下側縁部４６２をその上縁部４６０に向けて、羽根板が図１１５の開位置になり、各羽根板の上縁部と底縁部が互いに密に隣接するまで、引き上げる。勿論、操作要素を薄布に対して逆に、即ち下向きに動かすと、各羽根板の底縁部は、上縁部に対して、羽根板が閉位置になり、垂直方向に伸張して薄布と重なり、隣接する羽根板と僅かに重なってシェードを通過する視界と光の通路を遮るようになるまで、落下する。
【００８８】
図１０９で良く分かる様に、シェードの底部の作動しないダミー羽根板４７４の直ぐ上にある最も下の作動する羽根板４５４は、その下側縁部に沿って重さのあるバー４７６を有しているので、操作要素４６６を薄布に対して下向き動かすと、重さのあるバーは、最も下の羽根板の下側縁部を、重力によって下向きに引っ張り、その際、羽根板の各下側縁部は、操作要素に、その長さに沿って間隔を空けた位置で固定されているので、上方の各羽根板の下側縁部を下向きに同時に引っ張る。
【００８９】
作動しないダミー羽根板４７４は、望ましくは作動する羽根板と同じ材料で作られた単なるループであり、その上縁部が薄布４５２の前面に、その底縁部が底部レール４７８に固定されている。
【００９０】
底部レール４７８は、図１０３と図１０９を見ると良く分かるように、略Ｕ字型で、薄布４５２の下側縁部と、ダミー羽根板４７４の下側縁部とに接続されている。理解頂けるように、底部レールは、弓形の前方壁４８０と、後向きに突き出て垂直方向に間隔を空けて配置されている脚部４８２とを有しており、脚部４８２は、その後方縁部４８４に沿ってフック形になっており、前方壁と協働して、それらの間にチャネル４８６を形成している。更に、ポケット４８８が、間隔を空けて配置されている上下脚部両方の外面に形成されている。脚部は、内向きに突き出ているビード４９０を有しており、チャネル４８６に入る口部を形成している。
【００９１】
薄布４５２の下側縁部は、上側脚部４８２のポケット４８８に挿入される上側の固定バー４９２の回りに巻き付けられ、ダミー羽根板４７４の下側縁部は、下側脚部のポケット４８８内に配置される下側の固定バー４９４の回りに巻き付けられている。中心チャネル４８６は、座を形成しており、その中に、同業者間では既知の１つ又は複数の滑動可能に調整できるバラストバー４９６を配置できるようになっている。バラストバーは、シェードの重量分布を調整して、底部レールが常に水平に配置され、それによりシェードがローラーに滑らかに巻き付くようにするために用いられている。
【００９２】
ローラー４７２は、図１０３と図１０９に示すように、従来方式で頭部レール内に回転可能に取り付けられており、頭部レールは、図１０２−１０７で良く分かるように、前方壁６２０と、上壁６２２と、後方壁６２４と、端部キャップ６２５とを有している。
【００９３】
上壁６２２は、先に述べたものと同様に、頭部レールを建築物開口部に取り付けるための取付ブラケットで支持されている。上壁は、前縁部に沿って溝６２６を含んでおり、前方壁６２０の上縁部に沿うタング６２８を解放可能に受け入れるようになっている。前方壁は、後方に凹型の弓形壁であり、フォーク状で後方に突き出ている底縁部６３０を有している。上壁は、更に、その後縁部に隣接する溝６３２を有しており、後方壁６２４の上縁部に沿うタング６３４を解放可能に受け入れるようになっている。後方壁の底縁部は、以後に説明する目的の上向きに開口しているフック形のキャッチ６３６を形成しており、理解頂けるように、後方壁も横断面が弓形で前向きに凹型であり、下側縁部６３６は、前向きで下向きに伸張している。頭部レールの３つの構成要素は、全てアルミニウム、プラスチックなどで作られた押出成形部品であり、前方壁は、必要であれば、見た目に美しいように、例えば布材６３８で覆ってもよい。
【００９４】
キャッチ６３６は、薄布の上縁部でローラー４７２への接続部から下向きに短い距離だけ離れた位置で、薄布４５２に組み込まれているか又は固定されているキャッチプレート又は押出成形部品６４０と協働する。本開示では、この短い距離は、ローラーの外周の約半分である。キャッチプレートは、図１０８−１１５で良く分かる様に、横断面が弓形の押出成形プレート様部材であり、最下縁部に隣接して対峙するリップ６４４の間に形成されている上向きに開口している溝６４２と、溝６４２の直ぐ上方にキャッチリップ６４８を形成している下向きに開口している溝６４６と、フック形の上縁部６５０とを有している。キャッチプレートは、以下で明らかになるように、ローラーの反時計回りの回転の終り近くでローラーと分離するまではローラーと共に回転するのは自明であるが、本発明の開示では、キャッチプレートの様々な場所への言及は、様々な図面に見えるキャッチプレートの配置を想定している。第３の固定バー６５２は、薄布を第３の固定バーの回りに部分的に巻き付け、第３の固定バーを上向きに開口している溝６４２に挿入することによって、キャッチプレートを薄布に取り付けるのに用いられている。キャッチプレートの弓形の曲率は、ローラーの略円筒形の外面と一致するので、キャッチプレートは、例えば図１０３に示す様にカバーが一杯に引き込まれたときは、支持構造に概ね沿ってローラーの回りに巻き付けられる。
【００９５】
カバーを巻き解くときには、図１０３の一杯に引き込んだ位置から図１１５の一杯に伸張した位置まで順に図示している様に、ローラー４７２は、反時計回り方向に動かされ、底部レール４７８は、その重量のために、重力によって先ずは図１０９に示す位置を通って落下するので、薄布４５２と操作要素４６６がローラーから巻き解かれ始める。図１１０は、薄布がローラーの回りに最後の１巻きより少し多く巻き付けされているカバーを示しており、もう１回転させた後の図１１１では、薄布はローラーの上部に部分的に巻き付いているだけで、キャッチプレート６４０は、薄布に取り付けられたままでローラーから解き放たれている。理解頂けるように、図１１１の位置では、キャッチプレートのキャッチリップ６４８は、頭部レールの後方壁６２４の底縁部にあるキャッチ６３６の上にあるので、薄布を、図１１２に示している様に更に巻き解くと、キャッチプレートは、キャッチプレートのキャッチリップが頭部レールの後方壁のキャッチと密に隣接する関係へと移動するように下がる。図１１３は、ローラーが反時計回り方向に更に僅かな距離だけ回転した状態を示しており、キャッチプレートのキャッチリップは後方壁の上向きに開口しているキャッチの中に挿入されており、キャッチは溝６４６の中に挿入されているので、ローラーが反時計回り方向に回転し続けても、キャッチプレートは、それ以上下向きには移動しない。図１１３を見れば理解頂けるように、この位置にあるキャッチプレート６４０の下側縁部は、後方壁の下側縁部と前方壁の下側縁部の間の隙間を埋め、操作要素は、前方壁のフォーク状の底縁部６３０と滑動可能に係合している。ローラーが、図１１４に示すように反時計回り方向に回転し続けると、薄布４５２は頭部レール内でキャッチプレートの上方に弛んだ状態となり、操作要素４６６は、そのローラーとの固定位置が前方壁のフォーク状の底縁部からの距離が増すので、上向きに引っ張られる。図１１５は、ローラーが最大限巻き解かれた位置にあり、羽根板４５４が、各羽根板の底縁部４６２を各羽根板の上縁部４６０近くへ引っ張ることによって、一杯に開いた位置に動かされている状態を示している。
【００９６】
ローラーを時計回り方向に回転させることによってカバーを巻き戻すと、操作要素が先ず下がって、羽根板が図１１５の開位置から図１１３の閉位置へ動き、続いて、薄布が操作要素と共にローラーの回りに巻き付けられ始め、そうすると、キャッチプレートが上昇して頭部レールの後方壁のキャッチとの捕縛関係から外れる。次に、薄布は、キャッチプレートをローラーと相補関係になる位置に持ち上げ、ローラーを時計回り方向に回し続けると、薄布は、キャッチプレートの回りに、カバーが図１０３の位置へと一杯に引き込まれるまで巻き付けられる。
【００９７】
図８１−８３は、シェードの変形例を示しているだけで、ダミー羽根板４７４は、異なる高さに作ることができ、最高の高さを図８１に、最低の高さを図８３に示している。ダミー羽根板の高さを変えるのは、見た目を美しくするため、又は、特に、作動する羽根板４５４の最も下の羽根板が窓枠から異なる距離だけ離れており、その隙間をダミー羽根板で埋めようとするときに、シェード長さを選択できるようにするためである。図８４は、単に、最も下の作動する羽根板４５４の底縁部と、ダミー羽根板４７４の上縁部との重なりを示す拡大図であり、最も下の作動する羽根板の最も下の縁部には重さのあるバー４７６が取り付けられ、操作要素４６６の下側縁部がそこに固定されている。
【００９８】
ローラーの引込運動、即ち時計回りの回転運動は、図８５から９１を見ると良く分かる当接ストッパブラケット５６２によって制限され、当接ストッパブラケットは、頭部レールに取り付けられていて、シェードが頭部レール内に一杯に引き込まれパネルがローラー４７２に巻き付けられたときに、底部レール４７８と所定の場所で係合するように配置されている。ストッパブラケットは、図８６と図９１で良く分かるように、頭部レール５００の上縁部に固定することができる取付基部５６４と、基部５６４に調整可能に接続される垂下式ストッパ部材５６６とを有する二部品構成のブラケットを備えている。
【００９９】
基部５６４は、底部脚部５７０と、一対の垂直方向後向きに伸張している側部脚部５７２とによって形成される略Ｕ字型の本体５６８を含んでおり、側部脚部は、垂直方向に間隔を空けて配置されている対を成す内向きに間隔を空けて配置されているフィンガ５７４を有しており、それらの間に、各脚部に沿ってチャネル５７６が形成されている。フィンガの組は、各側部脚部５７２の上縁部に沿う複数のフィンガと、各側部脚部の底縁部に沿う複数のフィンガとを含んでおり、各組の上側と下側のフィンガは、互いにオフセットしている。キャッチアーム５７８は、底部脚部５７０から後向きに、側部脚部の間を、各側部脚部と平行且つ等間隔に配置されるように伸張している。キャッチアームは、側部脚部の長さより僅かに短い長さを有しているが、側部脚部の長さの半分以上であるのが望ましい。キャッチ脚部は、下向きに突き出ているリップ５８０を、その最も後方の縁部に隣接して有している。キャッチアームは、ストッパブラケットを形成している材料の性質のため、本質的に幾らか可撓性である。材料は、何らかの適したプラスチック、ポリウレタン、更には、幾分剛性が高いが幾らか可撓性を持っている金属でもよい。基部５６４の挿入プレート部分５８２は、基部の底部脚部５７０から前方に伸張しており、挿入プレートは、略長方形の材料のループ５８４で構成されていて、基部の本体５６８の深さの約半分であり、中心に形成されている長方形の開口部５８６を有している。一端が、基部の本体の底部脚部の前側に固定されているキャッチ脚部５８８は、長方形の開口部内に前向きに突き出ており、キャッチ脚部は、図８８で良く分かる様に、最前方の端部から下向きに突き出ているリップ５９０を有している。キャッチ脚部は、ストッパブラケットが作られている材料の性質のために、幾分剛性が高いが幾らか可撓性である。
【０１００】
ストッパ部材５６６は、略逆Ｌ字型の形状をしており、洗濯板状の中央部５９６の分だけ間隔を空けて配置された一対の平行な側部レール５９４で形成されている上側の水平方向脚部５９２を有しており、洗濯板は、後方縁部に沿う垂直方向面６００と、前向きで下向きに傾斜し、次の隣接する歯と繋がっている上面６０２と、を有する傾斜した歯５９８を含んでいる。側部レールの厚さは、基部の本体の対を成すフィンガ５７４の間に形成されるチャネル５７６内で殆ど隙間無く滑動できる程度であり、キャッチアームの後方縁部のリップ５８０は、洗濯板部の選択された歯の間の空間に爪を掛けるようになっている。
【０１０１】
従って、理解頂けるように、ストッパ部材５６６の上側の水平方向脚部５９２は、基部の本体５６８内に選択的に閉じ込められ、キャッチアーム５７８によって、基部の本体内へ選択された深さだけ挿入された位置に保持される。垂直方向脚部６０４は、水平方向脚部５９２の最後方縁部から下向きに垂下し、その下側端部の下向きに凹型の弓形当接部６０６で終端している。垂直方向脚部は、垂直方向脚部を補強する補強ガセット６０８を前面に有している。
【０１０２】
以後の説明で理解頂けるように、下向きに凹型の当接部６０６は、シェードがその一杯に引き込まれた位置に達すると、シェードの底部レール４７８と係合するようになっており、ストッパ部材５６６とストッパブラケットの基部５６４との相対関係によって、当接部を底部レールと係合するように適切に位置決めできるようになっている。理解頂けるように、底部レールの、ローラー４７２からの間隔は、シェードの材料のパネル４５０の長さによって、従ってローラーに巻き付けたパネル材の厚さによって変わる。勿論、巻き付けの厚さが、シェードを一杯に引き込んだときの底部レールの場所を決め、ストッパ部材は、それに従って位置決めされる。
【０１０３】
図９２では、先に述べた様に、頭部レール５００の上壁５０６は、水平方向に突き出ている。上壁は、頭部レールに形成されている略平行な脚部６１０に重なっているので、両者の間に窪み５０８が形成される。また、水平方向脚部６１０には、長手方向に伸張する切り込み６２１と、遠位縁部にキャッチ６１４とが形成されている。基部の挿入プレート部分５８２は、頭部レールの上縁部と平行な脚部６１０の間の窪み５０８の中に挿入されるようになっており、キャッチ脚部５８８の後方縁部のリップ５９０は、平行な脚部に形成されている切り込み６１２にスナップ嵌合するようになっている。挿入プレートは、従って、頭部レール内に形成された窪みの中に解放可能に閉じ込められ、そこに固定されるので、基部の本体５６８にストッパ部材５６６の水平方向脚部の受け入れ部を提供している。
【０１０４】
上記から理解頂けるように、ストッパブラケット５６２を頭部レール５００に然るべく取り付けると、ストッパブラケットは、底部レール４７８と当接してそれ以上の運動を制限する位置に配置されるので、シェードが一杯に引き込まれると、布のパネル４５０が巻き付けられるローラーの時計回りの回転を止める。勿論、ストッパブラケットは、ローラーの反時計回りの回転を抑制することはないので、先に述べた様にパネル４５０を容易に巻き解いて展開させ、パネルが建築物開口部に亘って完全に伸張し、キャッチ５４０がキャッチプレート５２４と係合し、シェードの支持構造がそれ以上伸張するのを制限するようにすることができる。
【０１０５】
当業者には理解頂けるように、本発明によるカバーには多くの変更を施すことができ、その変更の幾つかは、支持構造としての支持シートを、複数の垂直方向に伸張する単繊維、テープ又はリボン、天然又は合成繊維のコードなどに置き換えることに関係している。同様に、操作要素を、単繊維、材料の条片又はリボン、天然又は合成繊維のコードなどに代えてもよい。更に、羽根板の断面形状は、見た目が異なるように変えてもよく、リフト要素と操作要素の互いに反対側に形成される別のセル式羽根板は、様々な形状で対称であってもよいし、その前方要素と後方要素で異なる形状を有するような非対称であってもよい。更に、羽根板を作る材料の可撓性を変えて、異なる見た目の美しさを実現してもよく、剛性又は半剛性の材料を用いる場合、所望の機能性を得るため、折れ線を形成する折り目を材料内に形成することもできる。選択された材料を使用することによって、羽根板の透過性、並びに色を調整することもできる。
【０１０６】
更に、羽根板は、上側縁部に沿って支持構造に接続されており、下側縁部を動かして、カバーを開位置と閉位置の間で動かすことができるように開示してきたが、逆であってもよい。つまり、羽根板の底縁部を支持構造に固定し、上縁部を動かしてもよいし、勿論、羽根板を垂直方向に取り付けて、一方の縁部を支持構造に固定し、他方を一方の縁部に向けて、或いはそれから離れる方向に動かして、羽根板を、開位置と閉位置の間で動かしてもよい。
【０１０７】
以上、本発明について、或る程度具体的に説明してきたが、本開示は、一例を挙げたものであり、特許請求の範囲に定義されている本発明の精神から逸脱することなく、細部又は構造に変更を施せるものと理解されたい。
【図面の簡単な説明】
【０１０８】
【図１】パネルが閉じているが伸張した位置にある、建築物開口部用のカバーに使用するための本発明による第１の実施形態の等角図である。
【図２】カバーが一杯に伸張した位置にある、図１に示すパネルの等角図である。
【図３】一杯に開いた伸張した位置にある、図１のパネルの等角図である。
【図４】本発明のパネルをローラーの周りに巻き付けた一杯に引き込んだ位置にある、ローラを通る垂直方向断面図である。
【図５】パネルが、ローラーから部分的に伸張している、図４と同様の垂直方向断面図である。
【図６】図１の６−６線に沿う断面図であり、一杯に伸張しているが閉じているパネルを示している。
【図７】図２に示しているパネルの側面立面図である。
【図８】図３に示しているパネルの側面立面図である。
【図９】図１の９−９線に沿う拡大部分断面図である。
【図１０】図９に円で囲まれているパネル部分の拡大図である。
【図１１】図１０に示しているのと同じ領域の更に拡大した部分断面図である。
【図１２】図１１の１２−１２線に沿う部分断面図である。
【図１３】図１１の１３−１３線に沿う部分断面図である。
【図１４】図１のパネルの一部分の様々な構成要素部分を示す部分分解等角図である。
【図１５】図１４の１５−１５線に沿う断面図である。
【図１６】構成要素部品が更に分解されている、図１５と同様の図である。
【図１７】閉じているが伸張した位置にある、本発明によるカバーの第２の実施形態の側面立面図である。
【図１８】羽根板が部分的に開いている、図１７に示している実施形態の側面立面図である。
【図１９】羽根板が一杯に開いている、図１７及び図１８と同様の垂直方向断面図である。
【図２０】羽根板が閉じた位置にある、本発明のカバーの第３の実施形態の側面立面図である。
【図２１】羽根板が部分的に開いた位置にある、図２０と同様の側面立面図である。
【図２２】羽根板が一杯に開いた位置にある、図２０及び図２１のパネルの側面立面図である。
【図２３】羽根板が一杯に閉じた位置にある、本発明の第４の実施形態の側面立面図である。
【図２４】羽根板が部分的に開いた位置にある、図２３と同様の側面立面図である。
【図２５】羽根板が一杯に開いた位置にある、図２３及び図２４と同様の側面立面図である。
【図２６】羽根板が一杯に閉じた位置にある、本発明の第５の実施形態の側面立面図である。
【図２７】羽根板が部分的に開いた位置にある、図２６と同様の側面立面図である。
【図２８】羽根板が一杯に開いた位置にある、図２６及び図２７と同様の側面立面図である。
【図２９】羽根板が閉じた位置にある、本発明の第６の実施形態の側面立面図である。
【図３０】羽根板が部分的に開いた位置にある、図２９と同様の側面立面図である。
【図３１】羽根板が一杯に開いた位置にある、図２９及び図３０の実施形態の側面立面図である。
【図３２】羽根板が一杯に閉じた位置にある、本発明のカバーの第７の実施形態の側面立面図である。
【図３３】羽根板が部分的に開いた位置にある、図３２と同様の側面立面図である。
【図３４】羽根板が一杯に開いた位置にある、図３２及び図３３と同様の側面立面図である。
【図３５】羽根板が一杯に閉じた位置にある、本発明の第８の実施形態の側面立面図である。
【図３６】羽根板が部分的に開いた位置にある、図３５と同様の側面立面図である。
【図３７】羽根板が一杯に開いた位置にある、図３５及び図３６と同様の側面立面図である。
【図３８】羽根板が一杯に閉じた位置にある、本発明の第９の実施形態の側面立面図である。
【図３９】羽根板が部分的に開いた位置にある、図３８と同様の側面立面図である。
【図４０】羽根板が一杯に開いた位置にある、図３８及び図３９のカバーの側面立面図である。
【図４１】羽根板が一杯に閉じた位置にある、本発明の第１０の実施形態の側面立面図である。
【図４２】羽根板が部分的に開いた位置にある、図４１と同様の側面立面図である。
【図４３】羽根板が一杯に開いた位置にある、図４１及び図４２と同様の側面立面図である。
【図４４】本発明によるパネルの第１１の実施形態の等角図である。
【図４５】本発明の第１２の実施形態の後方から見た等角図であり、リフトコードと操作コードは、セル式羽根板の中心を通っている。
【図４５Ａ】図４５Ａは、カバーの前方から見た、図４５と同様の等角図である。
【図４６】図４５及び図４５Ａのカバーの側面立面図であり、一杯に伸張しているが閉じた位置にあるカバーを示している。
【図４７】図４６と同様の側面立面図であり、部分的に開いた位置にあるカバーを示している。
【図４８】カバーが一杯に開いた位置にある、図４６及び図４７と同様の側面立面図である。
【図４９】図４５の４９−４９線に沿う拡大部分断面図である。
【図５０】図４９と同様の更に拡大した部分断面図であり、カバーが閉じた位置にあるときの２つの隣接する羽根板の縁部を示している。
【図５１】図５０の５１−５１線に沿う断面図である。
【図５２】図５０の５２−５２線に沿う断面図である。
【図５３】カバーが一杯に閉じた位置にある、本発明によるカバーの第１３の実施態の側面立面図である。
【図５４】カバーが部分的に開いた位置にある、図５３と同様の側面立面図である。
【図５５】カバーが一杯に開いた位置にある、図５３及び図５４と同様の側面立面図である。
【図５６ａ】図５６ａは、一杯に伸張した位置にある、本発明によるカバーの第１４の実施形態の側面立面図である。
【図５６ｂ】図５６ｂは、部分的に引き込んだ位置にある、図５６ａのカバーの側面立面図である。
【図５６ｃ】図５６ｃは、一杯に引き込んだ位置にある、図５６ａのカバーの側面立面図である。
【図５７】点線で示している取付ブラケットを備えた頭部レール内に引き込まれた、本発明によるカバーの等角図である。
【図５８】ここでも点線で示している取付ブラケットを備えた、図５７に示しているカバーを後方から見た等角図である。
【図５８ａ】図５８ａは、頭部レールの端部を見た部分拡大図であり、中には調節可能なストッパが備えられている。
【図５８ｂ】図５８ｂは、ストッパが、頭部レール内の異なる場所に置き換えるために取り外されている、図５８ａと同様の部分等角図である。
【図５９】図５９は、部分的に伸張した位置にある、図５７のカバーの等角図である。
【図５９ａ】図５９ａは、図５９の５９ａ−５９ａ線に沿う拡大断面図である。
【図５９ｂ】図５９ｂは、図５９の５９ｂ−５９ｂ線に沿う拡大断面図である。
【図５９ｃ】図５９ｃは、図５９ｂと同様の断面図であり、底部レールをカバーのパネルと相互接続させるための代わりのシステムを示している。
【図５９ｄ】図５９ｄは、図５９ｂの底部レールを示す分解等角図である。
【図６０】一杯に伸張しているが閉じた位置にある、図５７のカバーの等角図である。
【図６１】図６０の６１−６１線に沿う側面立断面図である。
【図６２】図６０の６２−６２線に沿う拡大断面図である。
【図６２ａ】図６２ａは、図６２と同様の断面図であり、カバーが閉じた位置から開いた位置へ動かされる直前の位置にある状態を示している。
【図６２ｂ】図６２ｂは、図６２ａと同様の断面図であり、カバーが一杯に伸張しているが部分的に開いている状態を示している。
【図６２ｃ】図６２ｃは、図６２ａと同様の断面図であり、カバーが一杯に伸張し一杯に開いている状態を示している。
【図６２ｄ】図６２ｄは、図６２ｃに示しているカバーの等角図である。
【図６３】底部レールの第２実施形態を使用している、図６２に示している型式のカバーの等角図である。
【図６３ａ】図６３ａは、図６３の６３ａ−６３ａ線に沿う拡大部分断面図である。
【図６３ｂ】図６３ｂは、図６３ａに示している底部レールを示す等角図である。
【図６３ｃ】図６３ｃは、一杯に伸張しているが部分的に開いた位置にある、図６３の５カバーの垂直方向断面図である。
【図６３ｄ】図６３ｄは、図６３ｃと同様の断面図であり、カバーが一杯に伸張し一杯に開いた位置にある状態を示している。
【図６４】底部レールの第３の実施形態を備えている図６３に示しているカバーの等角図である。
【図６４ａ】図６４ａは、図６４の６４ａ−６４ａ線に沿う拡大部分断面図である。
【図６４ｂ】図６４ｂは、図６４ａの６４ｂ−６４ｂ線に沿う断面図である。
【図６４ｃ】図６４ｃは、一杯に伸張しているが部分的に開いた位置にある、図６４に示しているカバーの垂直方向断面図である。
【図６４ｄ】図６４ｄは、図６４ｃと同様の断面図であり、カバーが一杯に伸張し一杯に開いた位置にある状態を示している。
【図６５】底部レールは無いが、カバーの底縁部の上方の位置に隠れた重さのあるロッドを備えているカバーの、部分等角図である。
【図６６】一杯に伸張し開いている状態にある、本発明の別の実施形態の部分等角図である。
【図６７】図６６のシェードの底部レールの部分垂直方向断面図である。
【図６８】図６６のシェードの底部レールの、前方から見た等角図である。
【図６９】底部レールの後方から見た、図６８と同様の等角図である。
【図７０】図６６のシェードの頭部レールの底面に固定できるキャッチプレートを備えたクリップの、垂直方向断面図である。
【図７１】図８５の７１−７１線に沿う垂直方向断面図である。
【図７２】図７０に示しているクリップの等角図である。
【図７３】図７２のクリップの代替品の等角図である。
【図７４】図７２のクリップの別の代替品の等角図である。
【図７５】図７２のクリップの更に別の代替品の等角図である。
【図７６】シェードが図７１の一杯に引っ込んだ位置から最初に巻解かれるときの、図６６のシェードの垂直方向断面図である。
【図７７】図７６に示しているシェードの、一杯に伸張する僅か前の、シェードの部分垂直方向断面図である。
【図７８】シェードが更に僅かに伸張している、図６７と同様の垂直方向断面図である。
【図７９】シェードが更に伸張している、図７８と同様の垂直方向断面図である。
【図８０】シェードが一杯に伸張している、図７９と同様の垂直方向断面図である。
【図８１】比較的大きなダミー羽根板を底部に備えている図６６のシェードの底部を示す部分垂直方向断面図である。
【図８２】図８１に示しているものよりも僅かに小さなダミー羽根板を備えた、図８１と同様の部分垂直方向断面図である。
【図８３】図８２に示しているものよりも更に小さなダミー羽根板を備えた、図８２と同様の部分垂直方向断面図である。
【図８４】最も下の羽根板と、図８１−８１の何れかのダミー羽根板との重なり部を示している拡大部分図である。
【図８５】ストッパブラケットを示している、本発明のカバーの等角図である。
【図８６】ストッパブラケットのストッパ要素を下向きに見ている等角図である。
【図８７】ストッパブラケットの基部を下向きに見ている等角図である。
【図８８】組み立てられたストッパブラケットの底を上向きに見ている等角図である。
【図８９】組み立てられたストッパブラケットの上部を下向きに見ている等角図である。
【図９０】ストッパ要素の上面図である。
【図９１】ストッパブラケットの基部の上面図である。
【図９２】図８５の９２−９２線に沿う断面図である。
【図９３】リミッタシステムの代替品を組み込んでいるシェードの概略垂直方向断面図である。
【図９４】図９３と同様の概略垂直方向断面図であり、異なる位置にあるリミッタシステムの構成要素を示している。
【図９５】リミッタシステムの別の代替品を示すシェードの概略垂直方向断面図である。
【図９６】システムの構成要素が異なる位置にある、図９５と同様の概略垂直方向断面図である。
【図９７】本発明のシェード用の更に別のリミッタシステムの概略垂直方向断面図である。
【図９８】システムの構成要素が異なる位置にある、図９７と同様の概略垂直方向断面図である。
【図９９】本発明のシェードの更に別の代替リミッタシステムの等角図である。
【図１００】図９９のシェードの概略垂直方向断面図である。
【図１０１】構成要素が異なる位置にある、図１００と同様の概略垂直方向断面図である。
【図１０２】頭部レール内に封入されている本発明のカバーの別の実施形態の等角図である。
【図１０３】図１０２の１０３−１０３線に沿う拡大断面図である。
【図１０４】図１０２のカバーの頭部レールの等角図であり、中に組み込まれているローラーを示している。
【図１０５】図１０２のカバー用の頭部レールの上壁の等角図である。
【図１０６】図１０２のカバー用の頭部レールの前方壁の等角図である。
【図１０７】図１０２のカバー用の頭部レールの後方壁の等角図である。
【図１０８】図１０２のカバーに用いられる押し出し成型品のキャッチの等角図である。
【図１０９】図１０３と同様の断面図であり、カバーがローラーから最初に巻き解かれている状態を示している。
【図１１０】図１０９と同様の断面図であり、カバーがローラーから更に解かれた状態を示している。
【図１１１】図１１０と同様の断面図であり、カバーがローラーから又更に解かれた状態を示している。
【図１１２】図１１１と同様の断面図であり、カバーがローラーから又更に解かれた状態を示している。
【図１１３】図１１２と同様の断面図であり、キャッチ突起とキャッチが係合している状態を示している。
【図１１４】図１１３と同様の断面図であり、カバーが更に僅かに解かれた状態を示している。
【図１１５】図１１４と同様の断面図であり、カバーがローラーから一杯に伸張した状態を示している。
【図１】
2011252378.tif 000003
【図２】
2011252378.tif 000004
【図３】
2011252378.tif 000005
【図４】
2011252378.tif 000006
【図５】
2011252378.tif 000007
【図６】
2011252378.tif 000008
【図７】
2011252378.tif 000009
【図８】
2011252378.tif 000010
【図９】
2011252378.tif 000011
【図１０】
2011252378.tif 000012
【図１１】
2011252378.tif 000013
【図１２】
2011252378.tif 000014
【図１３】
2011252378.tif 000015
【図１４】
2011252378.tif 000016
【図１５】
2011252378.tif 000017
【図１６】
2011252378.tif 000018
【図１７】
2011252378.tif 000019
【図１８】
2011252378.tif 000020
【図１９】
2011252378.tif 000021
【図２０】
2011252378.tif 000022
【図２１】
2011252378.tif 000023
【図２２】
2011252378.tif 000024
【図２３】
2011252378.tif 000025
【図２４】
2011252378.tif 000026
【図２５】
2011252378.tif 000027
【図２６】
2011252378.tif 000028
【図２７】
2011252378.tif 000029
【図２８】
2011252378.tif 000030
【図２９】
2011252378.tif 000031
【図３０】
2011252378.tif 000032
【図３１】
2011252378.tif 000033
【図３２】
2011252378.tif 000034
【図３３】
2011252378.tif 000035
【図３４】
2011252378.tif 000036
【図３５】
2011252378.tif 000037
【図３６】
2011252378.tif 000038
【図３７】
2011252378.tif 000039
【図３８】
2011252378.tif 000040
【図３９】
2011252378.tif 000041
【図４０】
2011252378.tif 000042
【図４１】
2011252378.tif 000043
【図４２】
2011252378.tif 000044
【図４３】
2011252378.tif 000045
【図４４】
2011252378.tif 000046
【図４５】
2011252378.tif 000047
【図４５Ａ】
2011252378.tif 000048
【図４６】
2011252378.tif 000049
【図４７】
2011252378.tif 000050
【図４８】
2011252378.tif 000051
【図４９】
2011252378.tif 000052
【図５０】
2011252378.tif 000053
【図５１】
2011252378.tif 000054
【図５２】
2011252378.tif 000055
【図５３】
2011252378.tif 000056
【図５４】
2011252378.tif 000057
【図５５】
2011252378.tif 000058
【図５６ａ】
2011252378.tif 000059
【図５６ｂ】
2011252378.tif 000060
【図５６ｃ】
2011252378.tif 000061
【図５７】
2011252378.tif 000062
【図５８】
2011252378.tif 000063
【図５８ａ】
2011252378.tif 000064
【図５８ｂ】
2011252378.tif 000065
【図５９】
2011252378.tif 000066
【図５９ａ】
2011252378.tif 000067
【図５９ｂ】
2011252378.tif 000068
【図５９ｃ】
2011252378.tif 000069
【図５９ｄ】
2011252378.tif 000070
【図６０】
2011252378.tif 000071
【図６１】
2011252378.tif 000072
【図６２】
2011252378.tif 000073
【図６２ａ】
2011252378.tif 000074
【図６２ｂ】
2011252378.tif 000075
【図６２ｃ】
2011252378.tif 000076
【図６２ｄ】
2011252378.tif 000077
【図６３】
2011252378.tif 000078
【図６３ａ】
2011252378.tif 000079
【図６３ｂ】
2011252378.tif 000080
【図６３ｃ】
2011252378.tif 000081
【図６３ｄ】
2011252378.tif 000082
【図６４】
2011252378.tif 000083
【図６４ａ】
2011252378.tif 000084
【図６４ｂ】
2011252378.tif 000085
【図６４ｃ】
2011252378.tif 000086
【図６４ｄ】
2011252378.tif 000087
【図６５】
2011252378.tif 000088
【図６６】
2011252378.tif 000089
【図６７】
2011252378.tif 000090
【図６８】
2011252378.tif 000091
【図６９】
2011252378.tif 000092
【図７０】
2011252378.tif 000093
【図７１】
2011252378.tif 000094
【図７２】
2011252378.tif 000095
【図７３】
2011252378.tif 000096
【図７４】
2011252378.tif 000097
【図７５】
2011252378.tif 000098
【図７６】
2011252378.tif 000099
【図７７】
2011252378.tif 000100
【図７８】
2011252378.tif 000101
【図７９】
2011252378.tif 000102
【図８０】
2011252378.tif 000103
【図８１】
2011252378.tif 000104
【図８２】
2011252378.tif 000105
【図８３】
2011252378.tif 000106
【図８４】
2011252378.tif 000107
【図８５】
2011252378.tif 000108
【図８６】
2011252378.tif 000109
【図８７】
2011252378.tif 000110
【図８８】
2011252378.tif 000111
【図８９】
2011252378.tif 000112
【図９０】
2011252378.tif 000113
【図９１】
2011252378.tif 000114
【図９２】
2011252378.tif 000115
【図９３】
2011252378.tif 000116
【図９４】
2011252378.tif 000117
【図９５】
2011252378.tif 000118
【図９６】
2011252378.tif 000119
【図９７】
2011252378.tif 000120
【図９８】
2011252378.tif 000121
【図９９】
2011252378.tif 000122
【図１００】
2011252378.tif 000123
【図１０１】
2011252378.tif 000124
【図１０２】
2011252378.tif 000125
【図１０３】
2011252378.tif 000126
【図１０４】
2011252378.tif 000127
【図１０５】
2011252378.tif 000128
【図１０６】
2011252378.tif 000129
【図１０７】
2011252378.tif 000130
【図１０８】
2011252378.tif 000131
【図１０９】
2011252378.tif 000132
【図１１０】
2011252378.tif 000133
【図１１１】
2011252378.tif 000134
【図１１２】
2011252378.tif 000135
【図１１３】
2011252378.tif 000136
【図１１４】
2011252378.tif 000137
【図１１５】
2011252378.tif 000138